(57)【要約】【課題】撮像フレームレートに対応してＬＣＤ表示部のバックライトの輝度制御とキー操作部のバックライトの点灯消灯制御により消費電力の低減を図る。【解決手段】カメラモジュールが出力する画像データの撮像フレームレートを検出する撮像フレームレート検出機能と、複数のフレームレート対応にＬＣＤ表示部のバックライトの輝度を制御輝度値レベルとキー操作部のバックライトのＯＮ／ＯＦＦ情報とを設定しておくバックライト輝度値テーブルと、撮像フレームレート検出機能が検出する撮像フレームレートに対応する輝度値レベルおよびＯＮ／ＯＦＦ情報をバックライト輝度値テーブルから検出し、検出した輝度値レベルによりＬＣＤ表示部のバックライトを制御するＬＣＤバックライト制御機能と、検出したＯＮ／ＯＦＦ情報によりキー操作部のバックライトの点灯消灯を制御するキー操作部バックライト制御機能を有する。【選択図】      図７
2005039763.tif 000002
【特許請求の範囲】
【請求項１】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じて前記バックライトの輝度を制御するバックライト制御手段を有することを特徴とするカメラ付き携帯電話機のバックライト制御方式。
【請求項２】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じてＬＣＤ表示部のバックライトの輝度を制御するＬＣＤバックライト制御手段を有することを特徴とするカメラ付き携帯電話機のバックライト制御方式。
【請求項３】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じて、ＬＣＤ表示部のバックライトの輝度を制御するＬＣＤバックライト制御手段と、操作部のバックライトの発光または発光の停止を制御する操作部バックライト制御手段と、を有することを特徴とするカメラ付き携帯電話機のバックライト制御方式。
【請求項４】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを予め設定しておくバックライト輝度値テーブルと、前記撮像フレームレート検出手段が検出する前記撮像フレームレートに対応する前記輝度レベルを前記バックライト輝度値テーブルから検出し、前記ＬＣＤ表示部のバックライトを制御するＬＣＤバックライト制御手段とを有することを特徴とするカメラ付き携帯電話機のバックライト制御方式。
【請求項５】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルを予め設定しておくバックライト輝度値テーブルと、前記カメラモジュールが起動時、前記撮像フレームレート検出手段が検出する前記撮像フレームレートに対応する前記輝度レベルを前記バックライト輝度値テーブルから検出し、検出した前記輝度レベルに対応する駆動電流により前記ＬＣＤ表示部のバックライトを発光させ、前記カメラモジュールが起動中に撮像フレームレート検出手段が前記撮像フレームレートの変化を検出したとき、変化した前記撮像フレームレートに対応する前記輝度レベルを前記バックライト輝度値テーブルから検出し、この新たに検出した前記輝度レベルに対応する駆動電流により前記ＬＣＤ表示部のバックライトを発光させるＬＣＤバックライト制御手段と、を有することを特徴とするカメラ付き携帯電話機のバックライト制御方式。
【請求項６】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルと、前記撮像フレームレート検出手段が検出する前記撮像フレームレートに対応する前記輝度レベルおよび前記ＯＮまたはＯＦＦ情報を前記バックライト輝度値テーブルから検出し、検出した前記輝度レベルにより前記ＬＣＤ表示部のバックライトを制御するＬＣＤバックライト制御手段と、検出した前記ＯＮまたはＯＦＦ情報により前記キー操作部のバックライトの発光または発光の停止を制御する操作部バックライト制御手段と、を有することを特徴とするカメラ付き携帯電話機のバックライト制御方式。
【請求項７】
撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルと、前記カメラモジュールが起動時、前記撮像フレームレート検出手段が検出する撮像フレームレートに対応する前記輝度レベルと前記ＯＮまたはＯＦＦ情報を前記バックライト輝度値テーブルから検出し、検出した前記輝度レベルに対応する駆動電流により前記ＬＣＤ表示部のバックライトを発光させると共に、検出した前記ＯＮまたはＯＦＦ情報により前記キー操作部のバックライトを発光または発光を停止させ、前記カメラモジュールが起動中に前記撮像フレームレート検出手段が前記撮像フレームレートの変化を検出したとき、変化した前記撮像フレームレートに対応する前記輝度レベルと前記ＯＮまたはＯＦＦ情報を前記バックライト輝度値テーブルから検出し、この新たに検出した前記輝度レベルに対応する駆動電流により前記ＬＣＤ表示部のバックライトを発光させると共に、新たに検出した前記ＯＮまたはＯＦＦ情報により前記キー操作部のバックライトを発光または発光を停止させるバックライト制御手段と、を有することを特徴とするカメラ付き携帯電話機のバックライト制御方式。
【請求項８】
前記バックライト輝度値テーブルの予め設定しておく前記バックライト輝度レベルは、前記撮像環境が暗く前記撮像フレームレートが低い場合は、撮像環境が明るく前記撮像フレームレートが高い場合より低く設定しておくことを特徴とする請求項４乃至７記載のカメラ付き携帯電話機のバックライト制御方式。
【請求項９】
前記バックライト輝度値テーブルの前記バックライト輝度レベルと共に予め設定しておく前記バックライトのＯＮまたはＯＦＦ情報は、撮像環境が明るく前記撮像フレームレートが高い場合はバックライトＯＦＦ情報を設定し、前記撮像環境が暗く前記撮像フレームレートが低い場合はバックライトＯＮ情報を設定しておくことを特徴とする請求項６乃至７記載のカメラ付き携帯電話機のバックライト制御方式。
【請求項１０】
前記バックライト輝度値テーブルに予め設定する前記輝値レベルおよびＯＮまたはＯＦＦ情報は、ユーザが任意に設定可能であることを特徴とする請求項４乃至７記載のカメラ付き携帯電話機のバックライト制御方式。
【請求項１１】
撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、ユーザのキー操作または所定時間経過による前記カメラモジュールの起動の停止を監視する第４のステップと、第４のステップで前記カメラモジュールが起動中を検出したとき前記カメラモジュールの前記撮像フレームレートの検出を継続し、前記撮像フレームレートの変化を検出する第５のステップと、第５のステップで前記撮像フレームレートの変化を検出したとき第２のステップへ移行し前記バックライト輝度値テーブルから変化したフレームレートに対応する輝度レベルを検出し、この新たに検出した前記輝度レベルに対応する駆動電流により前記ＬＣＤ表示部のバックライトを発光させた後、第４のステップから第５のステップの処理を実行し、第５のステップで前記フレームレートの変化を検出できなかったとき第４のステップへ移行し、第４のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第６のステップと、を有することを特徴とするカメラ付き携帯電話機のバックライト制御方法。
【請求項１２】
撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記キー操作部のバックライトのＯＮまたはＯＦＦ情報を検出する第４のステップと、第４のステップで前記ＯＮ情報を検出したとき、検出したＯＮ情報を前記キー操作部のバックライト部に通知しバックライトを発光を指示する第５のステップと、第４のステップで前記キー操作部のバックライトのＯＦＦ情報を検出したとき、検出したＯＦＦ情報を前記キー操作部のバックライト部に通知しバックライトの発光の停止を指示する第６のステップと、ユーザのキー操作または所定時間経過による前記カメラモジュールの起動の停止を監視する第７のステップと、第７のステップで前記カメラモジュールが起動中を検出したとき前記カメラモジュールの前記撮像フレームレートの検出を継続し、前記撮像フレームレートの変化を検出する第８のステップと、第８のステップで前記撮像フレームレートの変化を検出したとき第２のステップへ移行し、弟２のステップで前記バックライト輝度値テーブルから変化した撮像フレームレートに対応する輝度レベルを検出し、第３のステップで、この新たに検出した前記輝度レベルに対応する駆動電流により前記ＬＣＤ表示部のバックライトを発光させた後、第４のステップから第８のステップの処理を実行し、第８のステップで前記フレームレートの変化を検出できなかったとき第７のステップへ移行し、第７のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第８のステップと、を有することを特徴とするカメラ付き携帯電話機のバックライト制御方法。
【請求項１３】
撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、ユーザのキー操作または所定時間経過による前記カメラモジュールの起動の停止を監視する第４のステップと、第４のステップで前記カメラモジュールが起動中を検出したとき前記カメラモジュールの前記撮像フレームレートの検出を継続し、前記撮像フレームレートの変化を検出する第５のステップと、第５のステップで前記撮像フレームレートの変化を検出したとき第２のステップへ移行し前記バックライト輝度値テーブルから変化したフレームレートに対応する輝度レベルを検出し、この新たに検出した前記輝度レベルに対応する駆動電流により前記ＬＣＤ表示部のバックライトを発光させた後、第４のステップから第５のステップの処理を実行し、第５のステップで前記フレームレートの変化を検出できなかったとき第４のステップへ移行し、第４のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第６のステップをＣＰＵに実行させるカメラ付き携帯電話機のバックライト制御プログラム。
【請求項１４】
撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記キー操作部のバックライトのＯＮまたはＯＦＦ情報を検出する第４のステップと、第４のステップで前記ＯＮ情報を検出したとき、検出したＯＮ情報を前記キー操作部のバックライト部に通知しバックライトを発光を指示する第５のステップと、第４のステップで前記キー操作部のバックライトのＯＦＦ情報を検出したとき、検出したＯＦＦ情報を前記キー操作部のバックライト部に通知しバックライトの発光の停止を指示する第６のステップと、ユーザのキー操作または所定時間経過による前記カメラモジュールの起動の停止を監視する第７のステップと、第７のステップで前記カメラモジュールが起動中を検出したとき前記カメラモジュールの前記撮像フレームレートの検出を継続し、前記撮像フレームレートの変化を検出する第８のステップと、第８のステップで前記撮像フレームレートの変化を検出したとき第２のステップへ移行し、弟２のステップで前記バックライト輝度値テーブルから変化した撮像フレームレートに対応する輝度レベルを検出し、第３のステップで、この新たに検出した前記輝度レベルに対応する駆動電流により前記ＬＣＤ表示部のバックライトを発光させた後、第４のステップから第８のステップの処理を実行し、第８のステップで前記フレームレートの変化を検出できなかったとき第７のステップへ移行し、第７のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第８のステップをＣＰＵに実行させるカメラ付き携帯電話機のバックライト制御プログラム。
【請求項１５】
撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを前記カメラライトのＯＮ、ＯＦＦに対応して予め設定しておくバックライト輝度値テーブルと、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルを前記バックライト輝度値テーブルから検出し、前記ＬＣＤ表示部のバックライトの輝度を制御するＬＣＤバックライト制御手段と、を有することを特徴とするカメラ付き携帯電話機のバックライト制御方式。
【請求項１６】
撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを前記カメラライトのＯＮ、ＯＦＦに対応して予め設定しておくバックライト輝度値テーブルと、前記カメラモジュールが起動時、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルを前記バックライト輝度値テーブルから検出し、検出した前記輝度レベルに対応する駆動電流により前記ＬＣＤ表示部のバックライトを発光させ、前記カメラモジュールが起動中に撮像フレームレート検出手段が前記撮像フレームレートの変化を検出したとき、変化した前記撮像フレームレートに対応する前記カメラライトのＯＮまたはＯＦＦに応じた前記輝度レベルを前記バックライト輝度値テーブルから検出し、この新たに検出した前記輝度レベルに対応する駆動電流により前記ＬＣＤ表示部のバックライトを発光させるＬＣＤバックライト制御手段と、を有することを特徴とするカメラ付き携帯電話機のバックライト制御方式。
【請求項１７】
撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールの起動時に前記カメラモジュールが出力する前記画像データの前記撮像フレームレートを検出する撮像フレームレート検出手段と、前記複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを前記カメラライトのＯＮまたはＯＦＦに対応して予め設定しておくバックライト輝度値テーブルと、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルおよび前記キー操作部のバックライトのＯＮまたはＯＦＦ情報を前記バックライト輝度値テーブルから検出し、検出した前記輝度レベルにより前記ＬＣＤ表示部のバックライトを制御するＬＣＤバックライト制御手段、検出した前記ＯＮまたはＯＦＦ情報により前記キー操作部のバックライトの発光または発光の停止を制御する操作部バックライト制御手段と、を有することを特徴とするカメラ付き携帯電話機のバックライト制御方式。
【請求項１８】
撮像環境に応じて画像取り込み周期である撮像フレームレートを切り替えて画像データを出力するカメラモジュールとバックライトの輝度調整機能を備える携帯電話機において、カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを前記カメラライトのＯＮまたはＯＦＦに対応して予め設定しておくバックライト輝度値テーブルと、前記カメラモジュールが起動時、前記カメラライトのＯＮ、ＯＦＦを検出し、前記撮像フレームレート検出手段が検出する撮像フレームレートに対応する前記カメラライトのＯＮまたはＯＦＦに応じた前記ＬＣＤバックライトの輝度レベルと操作部バックライトの前記ＯＮまたはＯＦＦ情報を前記バックライト輝度値テーブルから検出し、検出した前記輝度レベルに対応する駆動電流により前記ＬＣＤ表示部のバックライトを発光させると共に、検出した前記ＯＮまたはＯＦＦ情報により前記キー操作部のバックライトを発光または発光を停止させ、前記カメラモジュールが起動中に前記撮像フレームレート検出手段が前記撮像フレームレートの変化を検出したとき、変化した前記撮像フレームレートに対応する前記カメラライトのＯＮまたはＯＦＦに応じた前記ＬＣＤ表示部のバックライトの輝度レベルと前記キー操作部のＯＮまたはＯＦＦ情報を前記バックライト輝度値テーブルから検出し、この新たに検出した前記輝度レベルにより前記ＬＣＤ表示部のバックライトの輝度を制御すると共に、新たに検出した前記ＯＮまたはＯＦＦ情報により前記キー操作部のバックライトを発光または発光を停止するバックライト制御手段と、を有することを特徴とするカメラ付き携帯電話機のバックライト制御方式。
【請求項１９】
前記バックライト輝度値テーブルの予め設定しておく前記ＬＣＤ表示部のバックライトの輝度レベルは、前記カメラライトのＯＮ、ＯＦＦに対応し、前記カメラライトがＯＦＦ状態における前記撮像環境が暗く前記撮像フレームレートが低い場合の前記バックライトの輝度レベルは、前記撮像環境が明るく前記撮像フレームレートが高い場合の前記バックライトの輝度レベルより低く設定し、前記カメラライトがＯＮ状態における前記撮像環境が明るく前記撮像フレームレートが高い場合の前記バックライトの輝度レベルは、前記バックライトがＯＦＦ状態における前記撮像環境が明るく前記撮像フレームレートが高い場合の前記バックライトの輝度レベルより低く設定しておくことを特徴とする請求項１５乃至１８記載のカメラ付き携帯電話機のバックライト制御方式。
【請求項２０】
前記バックライト輝度値テーブルの前記バックライト輝度レベルと共に予め設定しておく前記操作部のバックライトのＯＮ情報またはＯＦＦ情報は、前記カメラライトのＯＮ、ＯＦＦに対応し、前記カメラライトがＯＦＦ時における前記撮像環境が明るく前記撮像フレームレートが高い場合の前記操作部のバックライトはＯＦＦを設定し、前記撮像環境が暗く前記撮像フレームレートが低い場合の前記操作部のバックライトはＯＮを設定しておくことを特徴とする請求項１７乃至１８記載のカメラ付き携帯電話機のバックライト制御方式。
【請求項２１】
前記バックライト輝度値テーブルにカメラライトのＯＮ、ＯＦＦに対応して予め設定する前記ＬＣＤ表示部のバックライトの前記輝値レベルおよび操作部のＯＮ情報またはＯＦＦ情報は、ユーザが任意に設定可能であることを特徴とする請求項１５乃至１８のカメラ付き携帯電話機のバックライト制御方式。
【請求項２２】
撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、第２のステップで前記カメラライトの点灯を検出したとき、前記バックライト輝度値テーブルを検索して第１のステップで検出した前記カメラモジュールの前記撮像フレームレートに対応する前記カメラライト点灯時での所定の前記輝度レベルを検出し、検出した前記輝度レベルを前記ＬＣＤ表示部のバックライト部に通知し前記輝度レベルに対応する駆動電流による発光を指示する第４ステップと、ユーザのキー操作または所定時間経過による前記カメラモジュールの起動の停止を監視する第５のステップと、第５のステップで前記カメラモジュールの起動中を検出したとき前記カメラモジュールの前記撮像フレームレートの検出を継続し、前記撮像フレームレートの変化を検出する第６のステップと、第６のステップで前記撮像フレームレートの変化を検出したとき第２のステップへ移行し、第２のステップで前記カメラライトの消灯を検出したとき、前記バックライト輝度値テーブルから第６のステップで検出したフレームレートに対応する前記カメラライトの消灯時での輝度レベルを検出し、この新たに検出した前記輝度レベルに対応する駆動電流により前記ＬＣＤ表示部のバックライトを発光させ、第２のステップで前記カメラライトの点灯を検出したとき、前記バックライト輝度値テーブルから第６のステップで検出したフレームレートに対応する前記カメラライトの点灯時での輝度レベルを検出し、この新たに検出した前記輝度レベルに対応する駆動電流により前記ＬＣＤ表示部のバックライトを発光させた後、第５のステップから第６のステップの処理を実行し、第６のステップで前記フレームレートの変化を検出できなかったとき第５のステップへ移行し第５のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第７のステップと、を有することを特徴とするカメラ付き携帯電話機のバックライト制御方法。
【請求項２３】
撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルと操作部のバックライトの発光または発光の停止を制御するためのＯＮ情報またはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第４のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第５のステップと、第２のステップで前記カメラライトの点灯を検出した時、前記バックライト輝度値テーブルを検索して第１のステップで検出した前記カメラモジュールの前記撮像フレームレートに対応する前記カメラライト点灯時での所定の輝度レベルを検出し、検出した前記輝度値レベルを前記ＬＣＤ表示部のバックライト部に通知し前記輝度レベルに対応する駆動電流による発光を指示する第６のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第７のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第８のステップと、第４のステップまたは第７のステップにおける操作部バックライトの発光の指示、第５のステップまたは第８のステップにおける操作部バックライトの発光の停止の指示後、ユーザのキー操作または所定時間経過による前記カメラモジュールの起動の停止を監視する第９のステップと、第９のステップで前記カメラモジュールの起動中を検出したとき前記カメラモジュールの前記撮像フレームレートの検出を継続し、前記撮像フレームレートの変化を検出する第１０のステップと、第１０のステップで前記撮像フレームレートの変化を検出したとき第２のステップへ移行し、第２のステップで前記カメラライトの消灯を検出したとき、第３のステップで前記バックライト輝度値テーブルから第１０のステップで検出した撮像フレームレートに対応する前記カメラライト消灯時での輝度レベルを検出し、この新たに検出した前記輝度レベルに対応する駆動電流により前記ＬＣＤ表示部のバックライトを発光させ、第４のステップまたは第５のステップの処理を実行した後、あるいは第２のステップ前記カメラライトの点灯を検出したとき、第６のステップで前記バックライト輝度値テーブルから第１０のステップで検出した撮像フレームレートに対応する前記カメラライト点灯時での輝度レベルを検出し、この新たに検出した前記輝度レベルに対応する駆動電流により前記ＬＣＤ表示部のバックライトを発光させ、第６のステップまたは第７のステップの処理を実行した後、第９のステップ、第１０のステップの処理を実行し、第１０のステップで前記フレームレートの変化を検出できなかったとき第９のステップへ移行し第９のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第１１のステップと、を有することを特徴とするカメラ付き携帯電話機のバックライト制御方法。
【請求項２４】
撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、第２のステップで前記カメラライトの点灯を検出したとき、前記バックライト輝度値テーブルを検索して第１のステップで検出した前記カメラモジュールの前記撮像フレームレートに対応する前記カメラライト点灯時での所定の前記輝度レベルを検出し、検出した前記輝度レベルを前記ＬＣＤ表示部のバックライト部に通知し前記輝度レベルに対応する駆動電流による発光を指示する第４ステップと、ユーザのキー操作または所定時間経過による前記カメラモジュールの起動の停止を監視する第５のステップと、第５のステップで前記カメラモジュールの起動中を検出したとき前記カメラモジュールの前記撮像フレームレートの検出を継続し、前記撮像フレームレートの変化を検出する第６のステップと、第６のステップで前記撮像フレームレートの変化を検出したとき第２のステップへ移行し、第２のステップで前記カメラライトの消灯を検出したとき、前記バックライト輝度値テーブルから第６のステップで検出したフレームレートに対応する前記カメラライトの消灯時での輝度レベルを検出し、この新たに検出した前記輝度レベルに対応する駆動電流により前記ＬＣＤ表示部のバックライトを発光させ、第２のステップで前記カメラライトの点灯を検出したとき、前記バックライト輝度値テーブルから第６のステップで検出したフレームレートに対応する前記カメラライトの点灯時での輝度レベルを検出し、この新たに検出した前記輝度レベルに対応する駆動電流により前記ＬＣＤ表示部のバックライトを発光させた後、第５のステップから第６のステップの処理を実行し、第６のステップで前記フレームレートの変化を検出できなかったとき第５のステップへ移行し第５のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第７のステップをＣＰＵに実行させるカメラ付き携帯電話機のバックライト制御プログラム。
【請求項２５】
撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルと操作部のバックライトの発光または発光の停止を制御するためのＯＮ情報またはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第４のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第５のステップと、第２のステップで前記カメラライトの点灯を検出した時、前記バックライト輝度値テーブルを検索して第１のステップで検出した前記カメラモジュールの前記撮像フレームレートに対応する前記カメラライト点灯時での所定の輝度レベルを検出し、検出した前記輝度値レベルを前記ＬＣＤ表示部のバックライト部に通知し前記輝度レベルに対応する駆動電流による発光を指示する第６のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第７のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第８のステップと、第４のステップまたは第７のステップにおける操作部バックライトの発光の指示、第５のステップまたは第８のステップにおける操作部バックライトの発光の停止の指示後、ユーザのキー操作または所定時間経過による前記カメラモジュールの起動の停止を監視する第９のステップと、第９のステップで前記カメラモジュールの起動中を検出したとき前記カメラモジュールの前記撮像フレームレートの検出を継続し、前記撮像フレームレートの変化を検出する第１０のステップと、第１０のステップで前記撮像フレームレートの変化を検出したとき第２のステップへ移行し、第２のステップで前記カメラライトの消灯を検出したとき、第３のステップで前記バックライト輝度値テーブルから第１０のステップで検出した撮像フレームレートに対応する前記カメラライト消灯時での輝度レベルを検出し、この新たに検出した前記輝度レベルに対応する駆動電流により前記ＬＣＤ表示部のバックライトを発光させ、第４のステップまたは第５のステップの処理を実行した後、あるいは第２のステップ前記カメラライトの点灯を検出したとき、第６のステップで前記バックライト輝度値テーブルから第１０のステップで検出した撮像フレームレートに対応する前記カメラライト点灯時での輝度レベルを検出し、この新たに検出した前記輝度レベルに対応する駆動電流により前記ＬＣＤ表示部のバックライトを発光させ、第６のステップまたは第７のステップの処理を実行した後、第９のステップ、第１０のステップの処理を実行し、第１０のステップで前記フレームレートの変化を検出できなかったとき第９のステップへ移行し第９のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第１１のステップをＣＰＵに実行させるカメラ付き携帯電話機のバックライト制御プログラム。
【発明の詳細な説明】
【技術分野】
【０００１】
本発明はカメラ付き携帯電話機のバックライト制御方式とその方法およびそのプログラムに関し、特にカメラ部の撮像フレームレートに応じて、またはカメラライトの点灯、消灯状態に応じてＬＣＤ表示部のバックライトの輝度制御および操作部のバックライトの点灯消／灯制御に関する。
【背景技術】
【０００２】
携帯電話機等の携帯端末機では電源供給源に電池を使用していることから、消費電流の低減は必要不可欠な要素であり、小型、軽量化に伴う使用部品点数の削減が必要視されている。
【０００３】
近年、携帯電話機のＬＣＤ表示部には、カラーＬＣＤが用いられている。カラーＬＣＤの表示時、視認性を確保するため、バックライトを点灯させる。特に、透過重視型のカラーＬＣＤにおいては、バックライト点灯輝度がＬＣＤ表示の視認性に大きく影響する。
【０００４】
一般的に、カメラ機能を有する携帯電話機は、撮像フレームレートの切替機能を備え、撮像環境（周囲の明るさ）に対応して撮像フレームを切り替えて画像データを出力する。
【０００５】
また、カメラ機能を有する携帯電話機では、カメラファインダにＬＣＤ表示部を使用しており、カメラ起動中はＬＣＤ表示の視認性を確保するため常時バックライトを点灯させている。
【０００６】
また、カメラライトを有するカメラ機能付き携帯電話機では、カメラライト点灯時のカメラ撮影においては、光センサ等の周囲の明るさを検出する部品により明るさ検出を行いバックライト輝度の切り替えを行っている。
【０００７】
しかし、このバックライト制御方法には、以下の問題点がある。
第一の問題点として、カメラファインダ表示時のバックライトの点灯輝度値は、暗い場所の使用環境下では反射光がなくその影響を受けないため視認性を考慮しても輝度値を低くできるが、蛍光灯照光下もしくは太陽光下などの使用環境における視認性を考慮して輝度値を設定しているため、暗い場所では必要以上の電流を消費するという問題がある。
【０００８】
第二の問題点として、光センサ等の周囲の明るさを検出する部品を追加し、明るさ検出を行いバックライト輝度の切り替えを行うことで、第一の問題点を改善するバックライト点灯輝度切り替え制御方法があるが、光センサによる周囲の明るさの検出は、しきい値を基準に明／暗の判定を行うので、複数の閾値に対応するためのＡ／Ｄコンバータや、光センサ等の部品の追加が必要となり、携帯電話機の小型化を阻害する要因となる。
【０００９】
また、第三の問題点として、カメラライトを有する携帯電話機の場合、カメラライトを点灯したとき、光センサはそのカメラライトの光により周囲の明るさを正確に検出できない可能性がある。その結果、キーバックライトの点灯が必要な暗い環境下においても明るいと検出してしまい、キーバックライトを消灯してしまうことになる。
【００１０】
従って、既存のハード構成を変えることなく、液晶ディスプレイ（ＬＣＤ）の照射レベル（輝度）を周囲の明るさに応じて制御するバックライトを制御する技術が望まれる。
【００１１】
このような液晶ディスプレイの照射レベルを周囲の明るさに応じて制御するバックライト制御に関する技術が下記公報に提案されている。
【００１２】
周囲が相対的に明るい場合には、カメラの露出が相対的に小さくなることから、液晶ディスプレイを照射するバックライトの照射レベルを大きくなるよう設定し、周囲が相対的に暗い場合には、カメラの露出が相対的に大きくなることから液晶ディスプレイを照射するバックライトの照射レベルを小さくなるように設定しておくことにより、液晶ディスプレイ上の表示情報を周囲の明るさに応じて的確に認識可能にするカメラ付き表示端末が例えば、特開２００２−３４４５９８号公報に開示されている（第１の従来技術）。
【００１３】
この第１の従来技術の照射レベルの調整は、ユーザによるカメラ機能の選択時等のキー操作、ページングチャネルの自動検出等のタイミングで行う。
【００１４】
カメラ付き携帯電話機に電源が投入されているとき、ＣＰＵはユーザのキー操作信号を検出し蓄積時間要求信号をカメラへ送出し、カメラが蓄積時間要求信号に応答して蓄積時間を算出し蓄積時間を含む蓄積時間信号をＣＰＵへ返送する。
【００１５】
ＣＰＵは、蓄積時間信号に含まれている蓄積時間に基づきバックライト用ＬＥＤの動作電流を決定し、液晶ディスプレイの照射レベルを決定し照射する。
【００１６】
このときカメラにおける露出は周囲の明るさに依存するため蓄積時間も周囲の明るさに依存する。
【００１７】
ＣＰＵは、蓄積時間信号に含まれている蓄積時間が相対的に短いときはバックライト用のＬＥＤの動作電流を相対的に大きく決定し、液晶ディスプレイの照射レベルを相対的に大きく決定し、蓄積時間が相対的に長いときはＬＥＤの動作電流を相対的に小さく決定し、液晶ディスプレイの照射レベルを相対的に小さく決定し、液晶ディスプレイが未照射状態であれば照射を開始し、照射中であればその照射レベルを新たな照射レベルに変更するものである。
【００１８】
しかしながら、周囲の明るさに対応して変化するカメラの露出に同調する撮像情報の蓄積時間に基づき液晶ディスプレイの照射レベルを制御するものの、カメラにおける蓄積時間の算出方法が記載されていない。
【００１９】
また、ＣＰＵは蓄積時間が相対的に短いとき照射レルを相対的に大きくし、蓄積時間が相対的に長いとき照射レルを相対的に小さく決定する旨の記載はあるが、蓄積時間と照射レベルの具体的な対応が記載されていない。
【００２０】
【特許文献１】特開２００２−３４４５９８号公報(段落番号０００９、段落番号００２１、段落番号００３１)  また、カメラの露出を制御する制御信号に基づいて周囲の明るさを推測することにより、周囲の明るさを検出する検出器を別途設けることなく、周囲の明るさに対応して表示装置の明るさを制御する省電力化が可能なカメラ付き携帯端末が、例えば特開２００２―３００４４７号公報に開示されている（第２の従来技術）。
【００２１】
この第２の従来技術は、イメージセンサ（ＣＣＤ）の出力データに基づき測光した測光評価値と予め設定された目標輝度値が一致するようシャッタースピードとＣＣＤの出力データの増幅値を算出し、ＣＣＤの出力データを所定のレベルに増幅すると共にＣＣＤを所定のシャッター速度で駆動すると共に、測光評価値と増幅値とシャッター速度値に基づき周囲の明るさを算出し、表示装置のバックライトの明るさを制御することにより、ＣＣＤの露出を適正に制御しつつ、バックライトの省電力化を図り携帯端末の電池の長寿命化を可能にするものである。
【００２２】
【特許文献２】特開２００２―３００４４７公報(段落番号００２１、段落番号００２２、段落番号００２６〜段落００３７、図４)  また、ＣＣＤカメラ等の動画撮像手段による動画像の撮像におけるフレームレートの値および動画像データ圧縮手段による動画像データの圧縮処理におけるフレームレートの値を外部操作またはバッテリの残存容量に応じて調整する携帯型情報端末装置が、例えば特開平１０―２４８０６３号公報に開示されている（第３の従来技術）。
【００２３】
この第３の従来技術は、動画像データのフレームレートをユーザが調節するためのフレームレート調節つまみを備え、ユーザが例えば１５フレーム程度のテレビ電話の動画像をより低いフレームレートに設定すべくフレームレート調節つまみを操作することにより所望する低フレームレートに設定でき、フレームレートを低下させることにより消費電力を低減しバッテリ持続時間を延長する。
また、動画像送信において、フレームレートを低く設定すると、ＣＣＤカメラの動作周波数が低下し、動画像サンプリングレートが低下しＣＣＤカメラにおける消費電力が低下する。
【００２４】
また、画像データ圧縮処理においても動作周波数が低く設定され、消費電力が低減できる。
【００２５】
【特許文献３】特開号１０−２４８０６３公報(段落番号００１９〜段落番号００２３、段落番号００３３、段落番号００５４、段落番号００５５)
【発明の開示】
【発明が解決しようとする課題】
【００２６】
上述した第１従来技術は、カメラ付き携帯電話機に電源が投入されているとき、ＣＰＵは、ユーザのキー操作信号を検出し蓄積時間要求信号をカメラへ送出し、カメラが蓄積時間要求信号に応答して蓄積時間を算出し蓄積時間を含む蓄積時間信号を受信し、蓄積時間信号に含まれている蓄積時間に基づきバックライト用ＬＥＤの動作電流を決定し、液晶ディスプレイの照射レベルを決定し照射するものであり、ユーザのキー操作に基づきカメラに算出させた蓄積時間に基づき液晶ディスプレイの照射レベルを決定するため、カメラに蓄積時間の算出機能が必要で、またＣＰＵにカメラから受信した蓄積時間の検出機能が必要になる。
【００２７】
また、カメラにおける蓄積時間の算出方法が不明で、更に、ＣＰＵは蓄積時間が相対的に短いとき照射レベルを相対的に大きくし、蓄積時間が相対的に長いとき照射レベルを相対的に小さく決定する旨の記載はあるが、蓄積時間と照射レベルの具体的な対応が記載されていない。
【００２８】
また、ユーザによるカメラ機能の選択時等のキー操作信号を検出し蓄積時間要求信号をカメラへ送出し、カメラが蓄積時間要求信号に応答して蓄積時間を算出し、蓄積時間を含む蓄積時間信号をＣＰＵへ返送する方式としているため、ユーザがカメラ機能を起動してファインダ表示中の状態でシャッターを駆動する操作を行うまでの間に周囲環境が（例えば明るい状態から暗い状態に）変化した場合には、その効果を得ることができない。
【００２９】
上述した第２の従来技術は、イメージセンサ（ＣＣＤ）の出力データに基づき測光した測光評価値と予め設定された目標輝度値が一致するようシャッタースピードとＣＣＤの出力データの増幅値を算出し、ＣＣＤの出力データを所定のレベルに増幅すると共にＣＣＤを所定のシャッター速度で駆動し、測光評価値と増幅値とシャッター速度値に基づき周囲の明るさを算出し、表示装置のバックライトの明るさを制御することにより、ＣＣＤの露出を適正に制御しつつ、バックライトの省電力化を図り携帯端末の電池の長寿命化を可能にするものであり、周囲の明るさを検出するセンサ等の検出機能は不要であるものの、シャッター速度を基準値（基準速度）と比較するシャッター速度比較処理、ＣＣＤの出力データの利得を基準値（基準利得）と比較する利得比較処理、ＣＣＤの出力データの測光し測光評価値を算出する測光評価値算出処理、測光評価値を目標輝度値と比較する測光評価値比較処理等の複雑な処理が必要である。
【００３０】
また、バックライト制御は、ある一定値を基準にバックライトＯＮ／ＯＦＦを行うもので、周囲環境に応じた精度のあるバックライト制御は困難である。
【００３１】
上述した第３従来技術は、動画像データのフレームレートをユーザが調節するためのフレームレート調節つまみを備え、ユーザが例えば１５フレーム程度の動画像をより低いフレームレートに設定すべくフレームレート調節つまみを操作することにより所望する低フレームレートに設定するものであり、フレームレート変更は周囲の明るさを検出して自動的に行うものではなく、ユーザが必要に応じ調整つまみの操作により低フレームレートに変更することにより省電力を図るものである。
【００３２】
本発明の目的は、照度に応じ撮像フレームレートを切り替えるカメラモジュールとバックライト輝度調整機能を有する携帯電話機において、既存の携帯電話機のハード構成を変えることなく、撮像フレームレートによりＬＣＤ表示部のバックライトの輝度制御、キー操作部のバックライトの点灯／消灯制御を行うことにより、携帯電話機の消費電流の低減を可能とするバックライト制御方式とその方法およびそのプログラムを提供することにある。
【００３３】
また、他の目的は、カメラライト点灯対応のバックライト輝度を設定することにより、周囲の明るさを正確に検出し、使用環境に適したバックライト制御方式とその方法およびそのプログラムを提供することにある。
【課題を解決するための手段】
【００３４】
本発明のカメラ付き携帯電話機のバックライト制御方式は、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じて前記バックライトの輝度を制御するバックライト制御手段を有することを特徴とする。
【００３５】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じてＬＣＤ表示部のバックライトの輝度を制御するＬＣＤバックライト制御手段を有することを特徴とする。
【００３６】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、前記撮像フレームレート検出手段が検出する前記撮像フレームレートに応じて、ＬＣＤ表示部のバックライトの輝度を制御するＬＣＤバックライト制御手段と、操作部のバックライトの発光または発光の停止を制御する操作部バックライト制御手段と、を有することを特徴とする。
【００３７】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを予め設定しておくバックライト輝度値テーブルと、前記撮像フレームレート検出手段が検出する前記撮像フレームレートに対応する前記輝度レベルを前記バックライト輝度値テーブルから検出し、前記ＬＣＤ表示部のバックライトを制御するＬＣＤバックライト制御手段と、を有することを特徴とする。
【００３８】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルを予め設定しておくバックライト輝度値テーブルと、前記カメラモジュールが起動時、前記撮像フレームレート検出手段が検出する前記撮像フレームレートに対応する前記輝度レベルを前記バックライト輝度値テーブルから検出し、検出した前記輝度レベルに対応する駆動電流により前記ＬＣＤ表示部のバックライトを発光させ、前記カメラモジュールが起動中に撮像フレームレート検出手段が前記撮像フレームレートの変化を検出したとき、変化した前記撮像フレームレートに対応する前記輝度レベルを前記バックライト輝度値テーブルから検出し、この新たに検出した前記輝度レベルに対応する駆動電流により前記ＬＣＤ表示部のバックライトを発光させるＬＣＤバックライト制御手段と、を有することを特徴とする。
【００３９】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルと、前記撮像フレームレート検出手段が検出する前記撮像フレームレートに対応する前記輝度レベルおよび前記ＯＮまたはＯＦＦ情報を前記バックライト輝度値テーブルから検出し、検出した前記輝度レベルにより前記ＬＣＤ表示部のバックライトを制御するＬＣＤバックライト制御手段と、検出した前記ＯＮまたはＯＦＦ情報により前記キー操作部のバックライトの発光または発光の停止を制御する操作部バックライト制御手段と、を有することを特徴とする。
【００４０】
また、撮像環境に応じて画像取り込み周期である撮像フレームレートを切り替えて画像データを出力するカメラモジュールとバックライトの輝度調整機能を備える携帯電話機において、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルと、前記カメラモジュールが起動時、前記撮像フレームレート検出手段が検出する撮像フレームレートに対応する前記輝度レベルと前記ＯＮまたはＯＦＦ情報を前記バックライト輝度値テーブルから検出し、検出した前記輝度レベルに対応する駆動電流により前記ＬＣＤ表示部のバックライトを発光させると共に、検出した前記ＯＮまたはＯＦＦ情報により前記キー操作部のバックライトを発光または発光を停止させ、前記カメラモジュールが起動中に前記撮像フレームレート検出手段が前記撮像フレームレートの変化を検出したとき、変化した前記撮像フレームレートに対応する前記輝度レベルと前記ＯＮまたはＯＦＦ情報を前記バックライト輝度値テーブルから検出し、この新たに検出した前記輝度レベルに対応する駆動電流により前記ＬＣＤ表示部のバックライトを発光させると共に、新たに検出した前記ＯＮまたはＯＦＦ情報により前記キー操作部のバックライトを発光または発光を停止させるバックライト制御手段と、を有することを特徴とする。
【００４１】
また、前記バックライト輝度値テーブルの予め設定しておく前記バックライト輝度レベルは、前記撮像環境が暗く前記撮像フレームレートが低い場合は、撮像環境が明るく前記撮像フレームレートが高い場合より低く設定しておくことを特徴とする。
【００４２】
また、前記バックライト輝度値テーブルの前記バックライト輝度レベルと共に予め設定しておく前記バックライトのＯＮまたはＯＦＦ情報は、撮像環境が明るく前記撮像フレームレートが高い場合はバックライトＯＦＦ情報を設定し、前記撮像環境が暗く前記撮像フレームレートが低い場合はバックライトＯＮ情報を設定しておくことを特徴とする。
【００４３】
また、前記バックライト輝度値テーブルに予め設定する前記輝値レベルおよびＯＮまたはＯＦＦ情報は、ユーザが任意に設定可能であることを特徴とする。
【００４４】
また、撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを前記カメラライトのＯＮ、ＯＦＦに対応して予め設定しておくバックライト輝度値テーブルと、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルを前記バックライト輝度値テーブルから検出し、前記ＬＣＤ表示部のバックライトの輝度を制御するＬＣＤバックライト制御手段と、を有することを特徴とする。
【００４５】
また、撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応してＬＣＤ表示部のバックライトの輝度を制御するための所定の輝度レベルを前記カメラライトのＯＮ、ＯＦＦに対応して予め設定しておくバックライト輝度値テーブルと、前記カメラモジュールが起動時、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルを前記バックライト輝度値テーブルから検出し、検出した前記輝度レベルに対応する駆動電流により前記ＬＣＤ表示部のバックライトを発光させ、前記カメラモジュールが起動中に撮像フレームレート検出手段が前記撮像フレームレートの変化を検出したとき、変化した前記撮像フレームレートに対応する前記カメラライトのＯＮまたはＯＦＦに応じた前記輝度レベルを前記バックライト輝度値テーブルから検出し、この新たに検出した前記輝度レベルに対応する駆動電流により前記ＬＣＤ表示部のバックライトを発光させるＬＣＤバックライト制御手段と、を有することを特徴とする。
【００４６】
また、撮像環境に応じて画像取り込み周期である撮像フレームレートを切り替えて画像データを出力するカメラモジュールとバックライトの輝度調整機能を備える携帯電話機において、前記カメラモジュールが起動中にユーザが必要に応じてＯＮ、ＯＦＦするカメラライトと、前記カメラモジュールの起動時に前記カメラモジュールが出力する前記画像データの前記撮像フレームレートを検出する撮像フレームレート検出手段と、前記複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを前記カメラライトのＯＮまたはＯＦＦに対応して予め設定しておくバックライト輝度値テーブルと、前記カメラライトのＯＮ、ＯＦＦを検出し、前記撮像フレームレート検出手段が検出する前記撮像フレームレートに対応する前記カメラライトのＯＮまたはＯＦＦに応じた前記輝度レベルおよび前記キー操作部のバックライトのＯＮまたはＯＦＦ情報を前記バックライト輝度値テーブルから検出し、検出した前記輝度レベルにより前記ＬＣＤ表示部のバックライトを制御するＬＣＤバックライト制御手段、検出した前記ＯＮまたはＯＦＦ情報により前記キー操作部のバックライトの発光または発光の停止を制御する操作部バックライト制御手段と、を有することを特徴とする。
【００４７】
また、撮像環境に応じて画像取り込み周期である撮像フレームレートを切り替えて画像データを出力するカメラモジュールとバックライトの輝度調整機能を備える携帯電話機において、カメラモジュールが起動中にユーザが必要に応じてＯＮ、ＯＦＦするカメラライトと、前記カメラモジュールが出力する前記画像データの前記撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを前記カメラライトのＯＮまたはＯＦＦに対応して予め設定しておくバックライト輝度値テーブルと、前記カメラモジュールが起動時、前記カメラライトのＯＮ、ＯＦＦを検出し、前記撮像フレームレート検出手段が検出する撮像フレームレートに対応する前記カメラライトのＯＮまたはＯＦＦに応じた前記ＬＣＤバックライトの輝度レベルと操作部バックライトの前記ＯＮまたはＯＦＦ情報を前記バックライト輝度値テーブルから検出し、検出した前記輝度レベルに対応する駆動電流により前記ＬＣＤ表示部のバックライトを発光させると共に、検出した前記ＯＮまたはＯＦＦ情報により前記キー操作部のバックライトを発光または発光を停止させ、前記カメラモジュールが起動中に前記撮像フレームレート検出手段が前記撮像フレームレートの変化を検出したとき、変化した前記撮像フレームレートに対応する前記カメラライトのＯＮまたはＯＦＦに応じた前記ＬＣＤ表示部のバックライトの輝度レベルと前記キー操作部のＯＮまたはＯＦＦ情報を前記バックライト輝度値テーブルから検出し、この新たに検出した前記輝度レベルにより前記ＬＣＤ表示部のバックライトの輝度を制御すると共に、新たに検出した前記ＯＮまたはＯＦＦ情報により前記キー操作部のバックライトを発光または発光を停止するバックライト制御手段と、を有することを特徴とする。
【００４８】
また、前記バックライト輝度値テーブルの予め設定しておく前記ＬＣＤ表示部のバックライトの輝度レベルは、前記カメラライトのＯＮ、ＯＦＦに対応し、前記カメラライトがＯＦＦ状態における前記撮像環境が暗く前記撮像フレームレートが低い場合の前記バックライトの輝度レベルは、前記撮像環境が明るく前記撮像フレームレートが高い場合の前記バックライトの輝度レベルより低く設定し、前記カメラライトがＯＮ状態における前記撮像環境が明るく前記撮像フレームレートが高い場合の前記バックライトの輝度レベルは、前記バックライトがＯＦＦ状態における前記撮像環境が明るく前記撮像フレームレートが高い場合の前記バックライトの輝度レベルより低く設定しておくことを特徴とする。
【００４９】
また、前記バックライト輝度値テーブルの前記バックライト輝度レベルと共に予め設定しておく前記操作部のバックライトのＯＮ情報またはＯＦＦ情報は、前記カメラライトのＯＮ、ＯＦＦに対応し、前記カメラライトがＯＦＦ時における前記撮像環境が明るく前記撮像フレームレートが高い場合の前記操作部のバックライトはＯＦＦを設定し、前記撮像環境が暗く前記撮像フレームレートが低い場合の前記操作部のバックライトはＯＮを設定しておくことを特徴とする。
【００５０】
また、前記バックライト輝度値テーブルにカメラライトのＯＮ、ＯＦＦに対応して予め設定する前記ＬＣＤ表示部のバックライトの前記輝値レベルおよび操作部のＯＮ情報またはＯＦＦ情報は、ユーザが任意に設定可能であることを特徴とする。
【００５１】
本発明のカメラ付き携帯電話機のバックライト制御方法は、撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、ユーザのキー操作または所定時間経過による前記カメラモジュールの起動の停止を監視する第４のステップと、第４のステップで前記カメラモジュールが起動中を検出したとき前記カメラモジュールの前記撮像フレームレートの検出を継続し、前記撮像フレームレートの変化を検出する第５のステップと、第５のステップで前記撮像フレームレートの変化を検出したとき第２のステップへ移行し前記バックライト輝度値テーブルから変化したフレームレートに対応する輝度レベルを検出し、この新たに検出した前記輝度レベルに対応する駆動電流により前記ＬＣＤ表示部のバックライトを発光させた後、第４のステップから第５のステップの処理を実行し、第５のステップで前記フレームレートの変化を検出できなかったとき第４のステップへ移行し、第４のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第６のステップと、を有することを特徴とする。
【００５２】
また、撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記キー操作部のバックライトのＯＮまたはＯＦＦ情報を検出する第４のステップと、第４のステップで前記ＯＮ情報を検出したとき、検出したＯＮ情報を前記キー操作部のバックライト部に通知しバックライトを発光を指示する第５のステップと、第４のステップで前記キー操作部のバックライトのＯＦＦ情報を検出したとき、検出したＯＦＦ情報を前記キー操作部のバックライト部に通知しバックライトの発光の停止を指示する第６のステップと、ユーザのキー操作または所定時間経過による前記カメラモジュールの起動の停止を監視する第７のステップと、第７のステップで前記カメラモジュールが起動中を検出したとき前記カメラモジュールの前記撮像フレームレートの検出を継続し、前記撮像フレームレートの変化を検出する第８のステップと、第８のステップで前記撮像フレームレートの変化を検出したとき第２のステップへ移行し、弟２のステップで前記バックライト輝度値テーブルから変化した撮像フレームレートに対応する輝度レベルを検出し、第３のステップで、この新たに検出した前記輝度レベルに対応する駆動電流により前記ＬＣＤ表示部のバックライトを発光させた後、第４のステップから第８のステップの処理を実行し、第８のステップで前記フレームレートの変化を検出できなかったとき第７のステップへ移行し、第７のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第８のステップと、を有することを特徴とする。
【００５３】
また、撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、第２のステップで前記カメラライトの点灯を検出したとき、前記バックライト輝度値テーブルを検索して第１のステップで検出した前記カメラモジュールの前記撮像フレームレートに対応する前記カメラライト点灯時での所定の前記輝度レベルを検出し、検出した前記輝度レベルを前記ＬＣＤ表示部のバックライト部に通知し前記輝度レベルに対応する駆動電流による発光を指示する第４ステップと、ユーザのキー操作または所定時間経過による前記カメラモジュールの起動の停止を監視する第５のステップと、第５のステップで前記カメラモジュールの起動中を検出したとき前記カメラモジュールの前記撮像フレームレートの検出を継続し、前記撮像フレームレートの変化を検出する第６のステップと、第６のステップで前記撮像フレームレートの変化を検出したとき第２のステップへ移行し、第２のステップで前記カメラライトの消灯を検出したとき、前記バックライト輝度値テーブルから第６のステップで検出したフレームレートに対応する前記カメラライトの消灯時での輝度レベルを検出し、この新たに検出した前記輝度レベルに対応する駆動電流により前記ＬＣＤ表示部のバックライトを発光させ、第２のステップで前記カメラライトの点灯を検出したとき、前記バックライト輝度値テーブルから第６のステップで検出したフレームレートに対応する前記カメラライトの点灯時での輝度レベルを検出し、この新たに検出した前記輝度レベルに対応する駆動電流により前記ＬＣＤ表示部のバックライトを発光させた後、第５のステップから第６のステップの処理を実行し、第６のステップで前記フレームレートの変化を検出できなかったとき第５のステップへ移行し第５のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第７のステップと、を有することを特徴とするカメラ付き携帯電話機のバックライト制御方法。
【００５４】
また、撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルと操作部のバックライトの発光または発光の停止を制御するためのＯＮ情報またはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第４のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第５のステップと、第２のステップで前記カメラライトの点灯を検出した時、前記バックライト輝度値テーブルを検索して第１のステップで検出した前記カメラモジュールの前記撮像フレームレートに対応する前記カメラライト点灯時での所定の輝度レベルを検出し、検出した前記輝度値レベルを前記ＬＣＤ表示部のバックライト部に通知し前記輝度レベルに対応する駆動電流による発光を指示する第６のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第７のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第８のステップと、第４のステップまたは第７のステップにおける操作部バックライトの発光の指示、第５のステップまたは第８のステップにおける操作部バックライトの発光の停止の指示後、ユーザのキー操作または所定時間経過による前記カメラモジュールの起動の停止を監視する第９のステップと、第９のステップで前記カメラモジュールの起動中を検出したとき前記カメラモジュールの前記撮像フレームレートの検出を継続し、前記撮像フレームレートの変化を検出する第１０のステップと、第１０のステップで前記撮像フレームレートの変化を検出したとき第２のステップへ移行し、第２のステップで前記カメラライトの消灯を検出したとき、第３のステップで前記バックライト輝度値テーブルから第１０のステップで検出した撮像フレームレートに対応する前記カメラライト消灯時での輝度レベルを検出し、この新たに検出した前記輝度レベルに対応する駆動電流により前記ＬＣＤ表示部のバックライトを発光させ、第４のステップまたは第５のステップの処理を実行した後、あるいは第２のステップ前記カメラライトの点灯を検出したとき、第６のステップで前記バックライト輝度値テーブルから第１０のステップで検出した撮像フレームレートに対応する前記カメラライト点灯時での輝度レベルを検出し、この新たに検出した前記輝度レベルに対応する駆動電流により前記ＬＣＤ表示部のバックライトを発光させ、第６のステップまたは第７のステップの処理を実行した後、第９のステップ、第１０のステップの処理を実行し、第１０のステップで前記フレームレートの変化を検出できなかったとき第９のステップへ移行し第９のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第１１のステップと、を有することを特徴とする。
【００５５】
本発明のカメラ付き携帯電話機のバックライト制御プログラムは、撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、ユーザのキー操作または所定時間経過による前記カメラモジュールの起動の停止を監視する第４のステップと、第４のステップで前記カメラモジュールが起動中を検出したとき前記カメラモジュールの前記撮像フレームレートの検出を継続し、前記撮像フレームレートの変化を検出する第５のステップと、第５のステップで前記撮像フレームレートの変化を検出したとき第２のステップへ移行し前記バックライト輝度値テーブルから変化したフレームレートに対応する輝度レベルを検出し、この新たに検出した前記輝度レベルに対応する駆動電流により前記ＬＣＤ表示部のバックライトを発光させた後、第４のステップから第５のステップの処理を実行し、第５のステップで前記フレームレートの変化を検出できなかったとき第４のステップへ移行し、第４のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第６のステップをＣＰＵに実行させる。
【００５６】
また、撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記バックライト輝度値テーブルを検索して第１のステップで検出した前記カメラモジュールの前記撮像フレームレートに対応する所定の前記輝度レベルを検出する第２のステップと、第２のステップで検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記キー操作部のバックライトのＯＮまたはＯＦＦ情報を検出する第４のステップと、第４のステップで前記ＯＮ情報を検出したとき、検出したＯＮ情報を前記キー操作部のバックライト部に通知しバックライトを発光を指示する第５のステップと、第４のステップで前記キー操作部のバックライトのＯＦＦ情報を検出したとき、検出したＯＦＦ情報を前記キー操作部のバックライト部に通知しバックライトの発光の停止を指示する第６のステップと、ユーザのキー操作または所定時間経過による前記カメラモジュールの起動の停止を監視する第７のステップと、第７のステップで前記カメラモジュールが起動中を検出したとき前記カメラモジュールの前記撮像フレームレートの検出を継続し、前記撮像フレームレートの変化を検出する第８のステップと、第８のステップで前記撮像フレームレートの変化を検出したとき第２のステップへ移行し、弟２のステップで前記バックライト輝度値テーブルから変化した撮像フレームレートに対応する輝度レベルを検出し、第３のステップで、この新たに検出した前記輝度レベルに対応する駆動電流により前記ＬＣＤ表示部のバックライトを発光させた後、第４のステップから第８のステップの処理を実行し、第８のステップで前記フレームレートの変化を検出できなかったとき第７のステップへ移行し、第７のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第８のステップをＣＰＵに実行させる。
【００５７】
また、撮像環境に応じて画像取り込み周期である撮像フレームレートを切り替えて画像データを出力するカメラモジュールとバックライトの輝度調整機能を備える携帯電話機において、複数のフレームレートに対応してＬＣＤ表示部のバックライトの輝度を制御するための所定の輝度レベルを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、第２のステップで前記カメラライトの点灯を検出したとき、前記バックライト輝度値テーブルを検索して第１のステップで検出した前記カメラモジュールの前記撮像フレームレートに対応する前記カメラライト点灯時での所定の前記輝度レベルを検出し、検出した前記輝度レベルを前記ＬＣＤ表示部のバックライト部に通知し前記輝度レベルに対応する駆動電流による発光を指示する第４ステップと、ユーザのキー操作または所定時間経過による前記カメラモジュールの起動の停止を監視する第５のステップと、第５のステップで前記カメラモジュールの起動中を検出したとき前記カメラモジュールの前記撮像フレームレートの検出を継続し、前記撮像フレームレートの変化を検出する第６のステップと、第６のステップで前記撮像フレームレートの変化を検出したとき第２のステップへ移行し、第２のステップで前記カメラライトの消灯を検出したとき、前記バックライト輝度値テーブルから第６のステップで検出したフレームレートに対応する前記カメラライトの消灯時での輝度レベルを検出し、この新たに検出した前記輝度レベルに対応する駆動電流により前記ＬＣＤ表示部のバックライトを発光させ、第２のステップで前記カメラライトの点灯を検出したとき、前記バックライト輝度値テーブルから第６のステップで検出したフレームレートに対応する前記カメラライトの点灯時での輝度レベルを検出し、この新たに検出した前記輝度レベルに対応する駆動電流により前記ＬＣＤ表示部のバックライトを発光させた後、第５のステップから第６のステップの処理を実行し、第６のステップで前記フレームレートの変化を検出できなかったとき第５のステップへ移行し第５のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第７のステップをＣＰＵに実行させる。
【００５８】
また、撮像環境に応じて画像取り込み周期である撮像フレームレートを切り替えて画像データを出力するカメラモジュールとバックライトの輝度調整機能を備える携帯電話機において、複数のフレームレートに対応して、ＬＣＤ表示部のバックライトの輝度を制御するための所定の輝度レベルと操作部のバックライトの発光または発光の停止を制御するためのＯＮ情報またはＯＦＦ情報とを予め設定しておくバックライト輝度値テーブルを備え、前記カメラモジュールが起動中でＬＣＤ表示部がファインダ表示状態にあるとき、前記カメラモジュールの前記撮像フレームレートを検出する第１のステップと、前記カメラモジュールが起動中にユーザが必要に応じてＯＮ、ＯＦＦするカメラライトが点灯中か否か検出する第２のステップと、第２のステップで前記カメラライトの消灯を検出したとき、前記バックライト輝度値テーブルを検索して第１のステップで検出した前記カメラモジュールの前記撮像フレームレートに対応する前記カメラライトの消灯時での所定の前記輝度レベルを検出し、検出した前記輝度レベルを前記ＬＣＤ表示部のバックライト部に通知し前記輝度レベルに対応する駆動電流による発光を指示する第３のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第４のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第５のステップと、第２のステップで前記カメラライトの点灯を検出した時、前記バックライト輝度値テーブルを検索して第１のステップで検出した前記カメラモジュールの前記撮像フレームレートに対応する前記カメラライト点灯時での所定の輝度レベルを検出し、検出した前記輝度値レベルを前記ＬＣＤ表示部のバックライト部に通知し前記輝度レベルに対応する駆動電流による発光を指示する第６のステップと、前記バックライト輝度値テーブルを検索して第１のステップで検出した前記カメラモジュールの前記撮像フレームレートに対応する前記操作部のバックライトのＯＮ情報を検出し、検出した前記ＯＮ情報を前記操作部のバックライト部に通知しバックライトを発光を指示する第７のステップと、前記バックライト輝度値テーブルを検索して第１のステップで検出した前記カメラモジュールの前記撮像フレームレートに対応する前記操作部のバックライトのＯＦＦ情報を検出し、検出した前記ＯＦＦ情報を前記操作部のバックライト部に通知しバックライトの発光の停止を指示する第８のステップと、第４のステップまたは第７のステップにおける操作部バックライトの発光の指示、第５のステップまたは第８のステップにおける操作部バックライトの発光の停止の指示後、ユーザのキー操作または所定時間経過による前記カメラモジュールの起動の停止を監視する第９のステップと、第９のステップで前記カメラモジュールの起動中を検出したとき前記カメラモジュールの前記撮像フレームレートの検出を継続し、前記撮像フレームレートの変化を検出する第１０のステップと、第１０のステップで前記撮像フレームレートの変化を検出したとき第２のステップへ移行し、第２のステップで前記カメラライトの消灯を検出したとき、第３のステップで前記バックライト輝度値テーブルから第１０のステップで検出した撮像フレームレートに対応する前記カメラライト消灯時での輝度レベルを検出し、この新たに検出した前記輝度レベルに対応する駆動電流により前記ＬＣＤ表示部のバックライトを発光させ、第４のステップまたは第５のステップの処理を実行した後、あるいは第２のステップ前記カメラライトの点灯を検出したとき、第６のステップで前記バックライト輝度値テーブルから第１０のステップで検出した撮像フレームレートに対応する前記カメラライト点灯時での輝度レベルを検出し、この新たに検出した前記輝度レベルに対応する駆動電流により前記ＬＣＤ表示部のバックライトを発光させ、第６のステップまたは第７のステップの処理を実行した後、第９のステップ、第１０のステップの処理を実行し、第１０のステップで前記フレームレートの変化を検出できなかったとき第９のステップへ移行し第９のステップでユーザのキー操作または所定時間経過による前記カメラモジュールの起動の停止を検出したとき、前記ＬＣＤ表示部の前記ファインダ表示を停止し所定のデフォルト表示に切り替え、前記カメラモジュールの起動を停止する第１１のステップをＣＰＵに実行させる。
【発明の効果】
【００５９】
以上説明したように本発明の第１の実施の形態によれば、カメラモジュールが出力する画像データの撮像フレームレートを検出する撮像フレームレート検出手段と、複数のフレームレートに対応して、ＬＣＤ表示部のバックライトの輝度を制御するための所定の輝度レベルを予め設定しておくバックライト輝度値テーブルと、カメラモジュールが起動時、撮像フレームレート検出手段が検出する撮像フレームレートに対応する輝度レベルをバックライト輝度値テーブルから検出し、検出した輝度レベルに対応する駆動電流によりＬＣＤ表示部のバックライトを発光させ、カメラモジュールが起動中に撮像フレームレート検出手段が撮像フレームレートの変化を検出したとき、変化した撮像フレームレートに対応する輝度レベルをバックライト輝度値テーブルから検出し、この新たに検出した輝度レベルに対応する駆動電流によりＬＣＤ表示部のバックライトを発光させるＬＣＤバックライト制御手段とから構成することにより、太陽光下等の明るい場所と暗い場所など使用環境下に応じたＬＣＤ表示部のバックライトの点灯輝度を切り替えることができる。
【００６０】
これにより、暗い場所においては、ＬＣＤの視認性を確保するに必要な輝度値を太陽光下等の明るい場所に比べて低い値とすることができるため、消費電流を低減できる。
【００６１】
また、カメラモジュールが起動中に撮像フレームレートが変化したとき、変化した撮像フレームレートに対応する輝度レベルに対応する駆動電流によりＬＣＤ表示部のバックライトを発光させることができるので、カメラモードの使用中に撮像環境が変化しても、変化に対応する最適なＬＣＤ表示部の点灯輝度を得ることができる。
【００６２】
本発明の第２の実施の形態によれば、カメラモジュールが出力する画像データの撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮまたはＯＦＦ情報とを予め設定しておくバックライト輝度値テーブルと、カメラモジュールが起動時、撮像フレームレート検出手段が検出する撮像フレームレートに対応する輝度レベルとＯＮまたはＯＦＦ情報をバックライト輝度値テーブルから検出し、検出した輝度レベルに対応する駆動電流によりＬＣＤ表示部のバックライトを発光させると共に、検出したＯＮまたはＯＦＦ情報によりキー操作部のバックライトを発光または発光を停止させ、カメラモジュールが起動中に撮像フレームレート検出機能が撮像フレームレートの変化を検出したとき、変化した撮像フレームレートに対応する輝度レベルとＯＮまたはＯＦＦ情報をバックライト輝度値テーブルから検出し、この新たに検出した輝度レベルに対応する駆動電流によりＬＣＤ表示部のバックライトを発光させると共に、新たに検出したＯＮまたはＯＦＦ情報によりキー操作部のバックライトを発光または発光を停止させるバックライト制御手段とから構成することにより、周囲の明るさに応じてＬＣＤ表示部のバックライトの点灯輝度を切り替えると共に、キー操作部のバックライトを点灯または消灯することができる。
【００６３】
これにより、カメラ起動時において、撮像環境が明るいとき不要であるキー操作部のバックライトを消灯することが可能となるため、第１の実施の形態による消費電力の低減効果に対し、更なる消費電力の低減効果がある。
【００６４】
第３の実施の形態によれば、カメラモジュールが出力する画像データの撮像フレームレートを検出する撮像フレームレート検出手段と、複数のフレームレートに対応して、ＬＣＤ表示部のバックライトの輝度を制御するための所定の輝度レベルをカメラライトがＯＮ状態とＯＦＦ状態別に予め設定しておくバックライト輝度値テーブルと、カメラモジュールが起動時、撮像フレームレート検出手段が検出する撮像フレームレートに対応するカメラライトのＯＮ状態またはＯＦＦ状態時の輝度レベルをバックライト輝度値テーブルから検出し、検出した輝度レベルに対応する駆動電流によりＬＣＤ表示部のバックライトを発光させ、カメラモジュールが起動中に撮像フレームレート検出手段が撮像フレームレートの変化を検出したとき、変化した撮像フレームレートに対応する輝度レベルをバックライト輝度値テーブルから検出し、この新たに検出した輝度レベルに対応する駆動電流によりＬＣＤ表示部のバックライトを発光させるＬＣＤバックライト制御手段とから構成することにより、カメラライトの点灯と消灯に対応し、ＬＣＤ表示部のバックライトの点灯輝度を周囲の明るさに応じて切り替えることができる。
【００６５】
また、撮像フレームレートが高い撮像環境が明るい場合でも、カメラライトが点灯している場合は、ＬＣＤバックライトの発光輝度を低く設定することにより、ＬＣＤバックライトの消費電力を細かく制御できるので、第１の実施の形態に比べ更なる消費電流の低減が可能である。
【００６６】
また、カメラライト点灯時の周囲の明るさを正確に検出できない環境下においても、ＬＣＤバックライトの点灯輝度を切り替えることができる。
【００６７】
第４の実施の形態によれば、カメラモジュールが出力する画像データの撮像フレームレートを検出する撮像フレームレート検出手段と、複数のフレームレートに対応して、ＬＣＤ表示部のバックライトの輝度を制御するための所定の輝度レベルとキー操作部のバックライトの発光または発光の停止を制御するためのＯＮ情報またはＯＦＦ情報をカメラライトのＯＮ状態とＯＦＦ状態とに分けて予め設定しておくバックライト輝度値テーブルと、カメラモジュールが起動時、撮像フレームレート検出手段が検出する撮像フレームレートに対応するＬＣＤバックライトの輝度レベルと操作部バックライトのＯＮまたはＯＦＦ情報をバックライト輝度値テーブルからカメラライトのＯＮ状態またはＯＦＦ状態に対応して検出し、検出した輝度レベルに対応する駆動電流によりＬＣＤ表示部のバックライトを発光させると共に、検出したＯＮまたはＯＦＦ情報によりキー操作部のバックライトを発光または発光を停止させ、カメラモジュールが起動中に撮像フレームレート検出手段が撮像フレームレートの変化を検出したとき、変化した撮像フレームレートに対応する輝度レベルとＯＮまたはＯＦＦ情報をバックライト輝度値テーブルから検出し、この新たに検出した輝度レベルに対応する駆動電流によりＬＣＤ表示部のバックライトを発光させると共に、新たに検出したＯＮまたはＯＦＦ情報によりキー操作部のバックライトを発光または発光を停止させるバックライト制御手段とから構成することにより、カメラライトの消灯と点灯に対応して、周囲の明るさに応じてＬＣＤ表示部の点灯輝度を切り替えると同時にキー操作部のバックライトを点灯または消灯することができるので、ＬＣＤバックライトおよび操作部バックライトの消費電力は第３の実施の形態に比べ更なる低減が可能である。
【００６８】
撮像環境が明るくカメラライトがＯＦＦのとき、不要である操作部バックライトの発光を停止するので操作部バックライトの消費電力を低減することができる。
【発明を実施するための最良の形態】
【００６９】
本発明の実施の形態について図面を参照して説明する。
【００７０】
図１は第１の実施の形態のカメラ付き携帯電話機の主要構成を示す図、図２は本発明の撮像フレームレートの一例を示す図、図３は第１の実施の形態のバックライト制御処理を説明するフローチャート、図４は第１の実施の形態のバックライト輝度値テーブルの一例を示す図、図５は第２の実施の形態のカメラ付き携帯電話機の主要構成を示す図、図６は第２の実施の形態のバックライト輝度値テーブルの一例を示す図、図７は第２の実施の形態のバックライト制御処理を説明するフローチャート、図８は第３の実施の形態のカメラ付き携帯電話機の主要構成を示す図、図９は第３の実施の形態のバックライト制御処理を説明するフローチャート、図１０は第３の実施の形態のバックライト輝度値テーブルの一例を示す図、図１１は第４の実施の形態のカメラ付き携帯電話機の主要構成を示す図、図１２は第４の実施の形態のバックライト制御処理を説明するフローチャート、図１３は第４の実施の形態のバックライト輝度値テーブルの一例を示す図、図１４はカメラライト部の点灯動作を示す図である。
【００７１】
最初に図１を参照して第１の実施の形態の構成について説明する。
図１に示す携帯電話機１０は、アンテナ１０１と、無線部１０２と、カメラ部１０３と、ＬＣＤ表示部１０４と、ＬＣＤバックライト部１０５と、操作部１０６と、制御部１０７と、音声処理部１０８と、レシーバ１０９と、マイク１１０とで構成されている。
【００７２】
制御部１０７は、携帯電話機全体を制御する制御機能を有し、ＣＰＵ１１１と、メモリ１１２と、タイマ１１３とを備えている。
携帯電話機１０は、制御部１０７の制御により無線部１０２、アンテナ１０１を介して図示しない基地局と通信を行う。無線部１０２は、アンテナ１０１にて受信した信号を、受信したい信号周波数を選択し周波数変換を行い増幅し、復調して、受信データを制御部１０７に出力する。
【００７３】
制御部１０７は、受信データを処理して音声信号を音声処理部１０８に出力し、音声処理部１０８は、音声信号をアナログ信号に変えてレシーバ１０９より音声を出力する。
【００７４】
また、マイク１１０から入力された音声は、音声処理部１０８にて、デジタル信号に変換され、制御部１０７は、その信号を送信データに処理し、無線部１０２にて、変調し規定の周波数の搬送波として増幅し、アンテナ１０１より送信を行う。
【００７５】
制御部１０７は、操作部１０６を監視し、ユーザのキー操作を検出、判断しキー操作に基づく処理を行う。ＬＣＤ表示部１０４は、制御部１０７の制御により各種表示を行い、ＬＣＤバックライト部１０５は、制御部１０７の制御により、設定された輝度レベルの値に対応する駆動電流により発光する。
【００７６】
制御部１０７は、ＬＣＤ表示部１０４の表示ＯＮ／ＯＦＦ等に合わせて、ＬＣＤバックライト部１０５の点灯／消灯制御を行う。
【００７７】
カメラ部１０３は、制御部１０７の制御により、被写体の撮像を行い、撮像フレームレート毎に１画像分の画像データを制御部１０７へ出力する。
【００７８】
カメラ部１０３は、照度に応じ図２に示すように、撮像フレームレートの切り替えを行う。暗い場合には、照度不足を補うため撮像素子の受光時間を長くするので、撮像フレームレートは低くなり、制御部１０７への画像データ出力周期は長くなる。
【００７９】
制御部１０７は、カメラ部１０３が撮像フレームレート毎に出力する画像データを表示データ形式に変換し、ＬＣＤ表示部１０４へ表示させる。操作部１０６からカメラ画像保存操作を検出した場合は、カメラ部１０３が出力する画像データをメモリ１１２に保存する。
【００８０】
次に図３に図１、図２、図４を併せて参照しバックライト制御処理について説明する。
【００８１】
通常、携帯電話機１０を操作している状態では、ＬＣＤ表示部１０４は操作に対応する情報が表示されており（ＬＣＤ表示部ＯＮ状態）、ＬＣＤバックライト部１０５も点灯されているため（ＬＣＤバックライト部ＯＮ状態）、ここでは、ＬＣＤ表示部１０４とＬＣＤバックライト部１０５がＯＮ状態で、ユーザが操作部１０６を操作し、カメラ部１０３を起動した場合を例に説明する。
【００８２】
ユーザが操作部１０６にてカメラ起動操作した場合、制御部１０７は、カメラ部１０３を起動させ、撮影状態とする（図３のステップＳ３０１）。
【００８３】
制御部１０７は、撮像フレームレート毎にカメラ部１０３から出力される１画像分の画像データを表示データ形式に変換し、表示データをＬＣＤ表示部１０４に設定し、デフォルト画面表示からカメラ部１０３で撮像した画像を表示するファインダ表示にする（Ｓ３０２）。
【００８４】
制御部１０７は、タイマ１１３にて、カメラ部１０３の撮像フレームレートをカウントし検出する（Ｓ３０３）。撮像フレームレートのカウントは、例えば制御部１０７における基準クロックを基にカメラ部１０３から出力される画像データの同期信号を計数することにより検出することができる。
【００８５】
制御部１０７は、検出した撮像フレームレートに対応するバックライト輝度レベルを選定し、ＬＣＤバックライト部１０５にバックライト輝度を設定する（Ｓ３０４）。ＬＣＤバックライト部１０５は、バックライト輝度値に対応する駆動電流で発光する。
【００８６】
バックライト輝度の選定は、メモリ１１２に予め設定されているバックライト輝度値テーブルにより、撮像フレームレートに対応するバックライト輝度レベルを選択することで行う。
【００８７】
バックライト輝度値テーブルは図４に示すように、複数の撮像フレームレートに対応してＬＣＤバックライトの輝度レベルが設定されている。
【００８８】
図４によれば、撮像フレームレートが１５（フレーム／ｓｅｃ）以上の場合はＬＣＤバックライト部の輝度レベルの値が４、フレームレートが１０〜１４（フレーム／ｓｅｃ）の場合は輝度レベルの値が３、フレームレートが５〜９（フレーム／ｓｅｃ）の場合は輝度レベルの値が２、フレームレートが４（フレーム／ｓｅｃ）以下の場合は輝度レベルの値が１に設定されている。
【００８９】
バックライト輝度値テーブルのＬＣＤバックライトの輝度レベルは、撮像環境が明るい場合（撮像フレームレートが高い場合）は輝度レベルの値を高く設定し、撮像環境が暗い場合（撮像フレームレートが低い場合）は明るい場合より輝度レベルの値を低く設定しておく。
【００９０】
従って、撮像環境が暗い場合には、ＬＣＤ表示部１０４への反射光がないので周囲の明るさによる影響を受けず、視認性を確保するに必要な輝度値は、太陽光下等の明るい場合に比べて低い値とすることができる。
【００９１】
ＬＣＤバックライト部１０４は、設定されたバックライト輝度レベルに対応する駆動電流より発光し、輝度レベルの値が低ければ、発光輝度は低く、消費する電流も少ない。
【００９２】
制御部１０７は、カメラ部１０３の起動状態（カメラ部１０３の起動停止）を監視し（Ｓ３０５）、カメラ部１０３が起動中の場合は、タイマ１１３にて、カメラ部１０３の撮像フレームレートのカウントを継続し撮像フレームレートの検出を継続する（Ｓ３０６）。
【００９３】
制御部１０７は、ステップＳ３０６で検出した撮像フレームレートと前回（ステップＳ３０３で）検出した撮像フレームレートとを比較し、ステップＳ３０３で検出した撮像フレームレートに対しステップＳ３０６で検出した撮像フレームレートが変化しているか否かを判定する（Ｓ３０７）。
【００９４】
制御部１０７は、ステップＳ３０７における判定に変化があった場合はステップＳ３０４へ移行し、今回検出した撮像フレームレートに対応するバックライト輝度レベルをバックライト輝度値テーブルから選定し、ＬＣＤバックライト部１０５に設定し、ステップＳ３０５〜ステップＳ３０７の処理を繰り返す。ＬＣＤバックライト部１０５は、新たに設定されたバックライト輝度レベルに対応する駆動電流で発光する。
【００９５】
ステップＳ３０７において、撮像フレームレートに変化がない場合は、ステップＳ３０５へ移行し、次の撮像フレームレートの変化を監視する。これにより、カメラが起動中の撮影環境（明るさ）が変化した場合にもバックライトの輝度切り替えが可能となる。
【００９６】
制御部１０７は、ステップＳ３０５において、ユーザが操作部１０６にてカメラ終了操作（カメラモードの停止操作）した場合や、カメラ起動中に何もユーザ操作がなく一定時間が経過しカメラモードの終了を検出したとき、カメラ部１０３からの画像データの表示データ形式への変換を終了し、ＬＣＤ表示部１０４にはデフォルト画面を表示させてファインダ表示を停止し（Ｓ３０８）、カメラ部１０３をＯＦＦ状態に設定し撮像を停止する（Ｓ３０９）。
【００９７】
次に図５を参照して第２の実施の形態の構成について説明する。
図５に示す携帯電話機は、バックライトの構成が異なる以外は図１に示す第１の実施の形態と同様である。
【００９８】
第１の実施の形態（図１）では、ＬＣＤバックライト部１０５のみの構成であるのに対して、第２の実施の形例（図５）は、ＬＣＤバックライト部１０５と操作部バックライト部１１４で構成する。
【００９９】
制御部１０７は、ＬＣＤバックライト部１０５の輝度制御と操作部バックライト部１１４の発光のＯＮ／ＯＦＦ制御を別々に制御する。その他の構成は、第１の実施の形態と同じであるため構成の説明は省略する。
【０１００】
また、メモリ１１２に予め定めておくバックライト輝度値テーブルは、図６に示すように、撮像フレームレートに対応したＬＣＤバックライトの輝度レベルと、操作部バックライトの発光または発光を停止するためのＯＮ／ＯＦＦ情報が設定されている。なお、発光のＯＮ／ＯＦＦ情報に代えてバックライトの輝度レベルでも良い。
【０１０１】
バックライト輝度値テーブルは図６に示すように、明るい場合（撮像フレームレートが高い場合）は、操作部バックライト部１１４をＯＦＦ（消灯）し、暗い場合（撮像フレームレートが低い場合）は、操作部バックライト部５１４をＯＮ（点灯）とする。
【０１０２】
ユーザの操作性を考慮すると、明るい場合では、操作部への照光を必要としないが、暗い場合には、操作部を照光することにより操作性が向上する。
【０１０３】
第２の実施の形態における動作は、第１の実施の形態における動作同様に、制御部１０７は、撮像フレームレートを検出し、バックライト輝度値テーブルに基づき、ＬＣＤバックライト部１０５に対する、検出した撮像フレームレートに応じた輝度レベルの設定と合わせて、操作部バックライト部１１４に対し照光のＯＮ／ＯＦＦ設定を行う。
【０１０４】
次に図７に図２、図５、図６を併せて参照し、バックライト制御処理について説明する。
【０１０５】
ユーザが操作部１０６にてカメラ起動操作した場合、制御部１０７は、カメラ部１０３を起動させ、撮影状態とする（図７のステップＳ４０１）。
【０１０６】
制御部１０７は、撮像フレームレート毎にカメラ部１０３から出力される１画像分の画像データを表示データ形式に変換し、表示データをＬＣＤ表示部１０４に設定し、デフォルト画面表示からカメラ部１０３で撮像した画像を表示するファインダ表示にする（Ｓ４０２）。
【０１０７】
制御部１０７は、タイマ１１３にて、カメラ部１０３の撮像フレームレートをカウントし検出する（Ｓ４０３）。撮像フレームレートのカウントは、例えば制御部１０７における基準クロックを基にカメラ部１０３から出力される画像データの同期信号を計数することにより検出することができる。
【０１０８】
制御部１０７は、検出した撮像フレームレートに対応するＬＣＤバックライトの輝度レベルをバックライト輝度値テーブルから選定し、選定した輝度レベルをＬＣＤバックライト部１０５に設定する（Ｓ４０４）。
【０１０９】
制御部１０７は続いて、バックライト輝度値テーブルから、ステップＳ４０３で検出した撮像フレームレートに対応する操作部バックライトのＯＮ／ＯＦＦ情報を検索し（Ｓ４０５）、ＯＮ情報を検出したとき操作部バックライト部１１４にバックライトＯＮ（点灯）を設定し（Ｓ４０６）、ＯＦＦ情報を検出したとき操作部バックライト部１１４にバックライトＯＦＦ（消灯）を設定する（Ｓ４０７）。
【０１１０】
ＬＣＤバックライトの輝度値レベルおよび操作部バックライトのＯＮ／ＯＦＦ情報の選定は、メモリ１１２に予め設定されているバックライト輝度値テーブルにより、撮像フレームレートに対応するＬＣＤバックライト輝度レベルと操作部バックライトＯＮ／ＯＦＦ情報を選択することで行う。
【０１１１】
バックライト輝度値テーブルは図６に示すように、複数の撮像フレームレートに対応してＬＣＤバックライトの輝度レベルと、操作部バックライトのＯＮ／ＯＦＦ情報が設定されている。
【０１１２】
図６によれば、撮像フレームレートが１５（フレーム／ｓｅｃ）以上の場合はＬＣＤバックライトの輝度レベルの値が４、操作部バックライトのＯＮ／ＯＦＦ情報がＯＦＦ、フレームレートが１０〜１４（フレーム／ｓｅｃ）の場合は輝度レベルの値が３、操作部バックライトのＯＮ／ＯＦＦ情報がＯＦＦ、フレームレートが５〜９（フレーム／ｓｅｃ）の場合は輝度レベルの値が２、操作部バックライトのＯＮ／ＯＦＦ情報がＯＮ、フレームレートが４（フレーム／ｓｅｃ）以下の場合は輝度レベルの値が１、操作部バックライトのＯＮ／ＯＦＦ情報がＯＮに設定されている。
【０１１３】
バックライト輝度値テーブルのバックライト輝度レベルは、撮像環境が明るい場合（撮像フレームレートが高い場合）は輝度レベルの値を高く設定し、撮像環境が暗い場合（撮像フレームレートが低い場合）は明るい場合より輝度レベルの値を低く設定しておく。
【０１１４】
操作部バックライトのＯＮ／ＯＦＦ情報は撮像環境が明るい場合（撮像フレームレートが高い場合）はＯＦＦに設定し、撮像環境が暗い場合（撮像フレームレートが低い場合）はＯＮに設定しおく。
【０１１５】
従って、撮像環境が暗い場合には、ＬＣＤ表示部１０４への反射光がないので周囲の明るさによる影響を受けず、視認性を確保するに必要な輝度レベルは、撮像環境が太陽光下等の明るい場合に比べて低い値とすることができる。
【０１１６】
ＬＣＤバックライト部１０４は、設定されたバックライト輝度レベルに対応する駆動電流より発光し、輝度レベルの値が低ければ、発光輝度は低く、消費する電流も少ない。
【０１１７】
また、撮像環境が明るい場合には、不要な操作部バックライトの点灯を防止できるため、更に消費電流を抑制できる。
【０１１８】
制御部１０７は、カメラ部１０３の起動状態を監視し（Ｓ４０８）、カメラ部１０３が起動中の場合は、タイマ１１３にて、カメラ部１０３の撮像フレームレートのカウントを継続し撮像フレームレートの検出を継続する（Ｓ４０９）。
【０１１９】
制御部１０７は、ステップＳ４０９で検出した撮像フレームレートと前回（ステップＳ４０３で）検出した撮像フレームレートとを比較し、ステップＳ４０３で検出した撮像フレームレートに対しステップＳ４０９で検出した撮像フレームレートが変化しているか否かを判定する（Ｓ４１０）。
【０１２０】
制御部１０７は、ステップＳ４１０における判定に変化があった場合はステップＳ４０４へ移行し、ステップＳ４０４で今回検出した撮像フレームレートに対応するバックライト輝度レベルをバックライト輝度値テーブルから選定し、ＬＣＤバックライト部１０５設定して発光させた後、ステップＳ４０５〜ステップＳ４１０の処理を実行する。
【０１２１】
ステップＳ４１０において、撮像フレームレートに変化がない場合は、ステップＳ４０８へ移行し、次の撮像フレームレートの変化を監視する。これにより、カメラが起動中の撮影環境（明るさ）が変化した場合にもバックライトの輝度切り替えが可能となる。
【０１２２】
制御部１０７は、ステップＳ４０８において、ユーザが操作部１０６にてカメラ終了操作（カメラモードの停止操作）した場合や、カメラ起動中に何もユーザ操作がなく一定時間が経過しカメラモードの終了を検出したとき、カメラ部１０３からの画像データの表示データ形式への変換を終了し、ＬＣＤ表示部１０４にはデフォルト画面を表示させてファインダ表示を停止し（Ｓ４１１）、カメラ部１０３をＯＦＦ状態に設定し撮像を停止する（Ｓ４１２）。
【０１２３】
これにより、カメラ部の起動時で明るい場合には、不必要である操作部バックライトの照光をＯＦＦ（消灯）することができるため、第１の実施の形態と比較し更なる消費電流低減の効果が発生する。
【０１２４】
次に図８を参照して第３の実施の形態の構成について説明する。
図８に示す携帯電話機１０は、カメラライト部１１５と、メモリ１１２のバックライト輝度値テーブルが異なる以外は図１に示す第１の実施の形態と同様な構成である。
【０１２５】
制御部１０７は、カメラライト部１１５がＯＮ状態のときと、ＯＦＦ状態のときとでは、ＬＣＤバックライト部１０５に異なる輝度レベルを設定する。その他の構成は第１の実施の形態と同じであるため構成の説明は省略する。
【０１２６】
バックライト輝度値テーブルは、図１０に示すように、各撮像フレームレートに対応するＬＣＤバックライトの輝度レベルが、カメラライト１１５のＯＮ状態と、ＯＦＦ状態に対応して登録されている。
【０１２７】
図１０によれば、カメラライト１１５がＯＮ状態では、撮像環境が明るい場合（撮像フレームレートが高い場合）にＬＣＤバックライト部１０５に設定するための輝度レベルは、カメラライト１１５がＯＦＦ状態の場合に比べて、低いレベルが登録されている。
【０１２８】
制御部１０７は、携帯電話機全体を制御する制御機能を有し、ＣＰＵ１１１と、メモリ１１２と、タイマ１１３とを備えている。
【０１２９】
制御部１０７は、操作部１０６を監視し、ユーザのキー操作を検出、判断しキー操作に基づく処理を行う。ＬＣＤ表示部１０４は、制御部１０７の制御により各種表示を行い、ＬＣＤバックライト部１０５は、制御部１０７の制御により、設定された輝度レベルの値に対応する駆動電流により発光する。
【０１３０】
制御部１０７は、ＬＣＤ表示部１０４の表示状態（ＯＮ／ＯＦＦ等）に合わせて、ＬＣＤバックライト部１０５の点灯／消灯の制御を行う。
【０１３１】
制御部１０７は、ユーザの操作を検出し、カメラライト部１１５の点灯／消灯の制御を行う。また、カメラライト部１１５は、制御部１０７の制御により、輝度の異なる弱点灯と強点灯を行う。弱点灯は、周囲を照らすために用い、強点灯は、カメラのフラッシュ用に用いる。
カメラライト部１１５は、図１４（Ａ）に示すように、ユーザ操作によるカメラ起動後、カメラライトＯＮ（弱点点灯）し、シャッター押下にて、フラッシュ点灯（強点灯）する場合と、図１４（Ｂ）に示すように、シャッター押下にて、フラッシュ点灯（強点灯）する場合がある。
【０１３２】
カメラ部１０３は、制御部１０７の制御により、被写体の撮像を行い、撮像フレームレート毎に１画像分の画像データを制御部１０７へ出力する。
【０１３３】
カメラ部１０３は、照度に応じ図２に示すように、撮像フレームレートの切り替えを行う。暗い場合には、照度不足を補うため撮像素子の受光時間を長くするので、撮像フレームレートは低くなり、制御部１０７への画像データ出力周期は長くなる。
【０１３４】
制御部１０７は、カメラ部１０３が撮像フレームレート毎に出力する画像データを表示データ形式に変換し、ＬＣＤ表示部１０４へ表示させる。操作部１０６からカメラ画像保存操作を検出した場合は、カメラ部１０３が出力する画像データをメモリ１１２に保存する。
【０１３５】
第３の実施の形態における動作は、第１の実施の形態における動作同様、制御部１０７が撮像フレームレートを検出し、検出した撮像フレームレートに対応するカメラライト部１１５の動作状態（ＯＮ／ＯＦＦ）に応じた輝度レベルをバックライト輝度値テーブルから検出し、ＬＣＤバックライト部１０５に設定する。
【０１３６】
次に図９に図８、図１０を併せて参照しバックライト制御処理について説明する。
【０１３７】
通常、携帯電話機１０を操作している状態では、ＬＣＤ表示部１０４は操作に対応する情報が表示されており（ＬＣＤ表示部ＯＮ状態）、ＬＣＤバックライト部１０５も点灯されているため（ＬＣＤバックライト部ＯＮ状態）、ここでは、ＬＣＤ表示部１０４とＬＣＤバックライト部１０５がＯＮ状態で、ユーザが操作部１０６を操作し、カメラ部１０３を起動した場合を例に説明する。
【０１３８】
ユーザが操作部１０６にてカメラ起動操作した場合、制御部１０７は、カメラ部１０３を起動させ、撮影状態とする（図９のステップＳ５０１）。
【０１３９】
制御部１０７は、撮像フレームレート毎にカメラ部１０３から出力される１画像分の画像データを表示データ形式に変換し、表示データをＬＣＤ表示部１０４に設定し、デフォルト画面表示からカメラ部１０３で撮像した画像を表示するファインダ表示にする（Ｓ５０２）。
【０１４０】
制御部１０７は、カメラ部１０３の撮像フレームレートをタイマ１１３にてカウントし検出する（Ｓ５０３）。撮像フレームレートのカウントは、例えば制御部１０７における基準クロックを基にカメラ部１０３から出力される画像データの同期信号を計数することにより検出することができる。
【０１４１】
制御部１０７は、カメラライト部１１５が点灯中か否か判定し(Ｓ５０３)、判定結果が消灯中のときは、ステップＳ５０３で検出した撮像フレームレートに対応するカメラライトＯＦＦ状態時のバックライト輝度レベルをバックライト輝度値テーブルから選定し、そのバックライト輝度レベルをＬＣＤバックライト部１０５に設定する。
ＬＣＤバックライト部１０５は、設定されたカメラライト消灯時のバッライト輝度レベルに対応する駆動電流で発光する。
【０１４２】
制御部１０７は、ステップＳ５０４におけるカメラライトの判定結果が点灯中のときは、ステップＳ５０３で検出した撮像フレームレートに対応するカメラライトＯＮ状態時のバックライト輝度レベルをバックライト輝度値テーブルから選定し、そのバックライト輝度レベルをＬＣＤバックライト部１０５に設定する。
ＬＣＤバックライト部１０５は、設定されたカメラライト点灯時のバッライト輝度レベルに対応する駆動電流で発光する。
【０１４３】
バックライト輝度値の選定は、メモリ１１２に予め設定されているバックライト輝度値テーブルにより、撮像フレームレートに対応するバックライト輝度レベルを選択することで行う。
【０１４４】
バックライト輝度値テーブルは図１０に示すように、複数の撮像フレームレートに対応してカメラライトのＯＮ状態およびＯＦＦ状態のときのＬＣＤバックライトの輝度レベルが設定されている。
【０１４５】
図１０によれば、撮像フレームレートが１５（フレーム／ｓｅｃ）以上の場合、カメラライトがオフのときのＬＣＤバックライト部の輝度レベルの値が４、カメラライトがオンのときのＬＣＤバックライト部の輝度レベルの値が２、フレーレートが１０〜１４（フレーム／ｓｅｃ）の場合、カメラライトがオフのときの輝度レベルの値が３、カメラライトがオンのときの輝度レベルの値が２、フレーレートが５〜９（フレーム／ｓｅｃ）の場合、カメラライトがオフのときの輝度レベルの値が２、カメラライトがオンのときの輝度レベルの値が２、フレームレートが４（フレーム／ｓｅｃ）以下の場合、カメラライトがオフのときの輝度レベルの値が１、カメラライトがオンのときの輝度レベルの値が１に設定されている。
【０１４６】
バックライト輝度値テーブルのバックライト輝度レベルは、撮像環境が明るい場合（撮像フレームレートが高い場合）は輝度レベルの値を高く設定し、撮像環境が暗い場合（撮像フレームレートが低い場合）は明るい場合より輝度レベルの値を低く設定しておくが、カメラライト部１１５が点灯している場合には、撮像フレームレートが高い明るい状態であっても、カメラライト部１１５が消灯している場合に比べて低い輝度レベルを設定しておく。
【０１４７】
従って、カメラライト１１５が消灯状態で、撮像環境が暗い場合には、ＬＣＤ表示部１０４への反射光がないので周囲の明るさによる影響を受けず、視認性を確保するに必要な輝度レベルは、太陽光下等の撮像環境が明るい場合に比べて低い値とすることができる。
【０１４８】
また、カメラライト１１５が点灯状態では、撮像環境が暗いことが想定できるので、ＬＣＤバックライトを照光する。
【０１４９】
ＬＣＤバックライト部１０４は、設定されたバックライト輝度レベルに対応する駆動電流より発光し、輝度レベルの値が低ければ、発光輝度は低く、消費する電流も少ない。
【０１５０】
制御部１０７は、カメラ部１０３の起動状態を監視しカメラ部１０３が停止状態（カメラモード停止）か否かを判定し(Ｓ５０６)、停止状態の場合はステップＳ５１１へ移行し、起動中の場合は、タイマ１１３にて、カメラ部１０３の撮像フレームレートのカウントを継続し撮像フレームレートの検出を継続する（Ｓ５０７）。
【０１５１】
制御部１０７は、ステップＳ５０７で検出した撮像フレームレートと前回（ステップＳ５０４で）検出した撮像フレームレートとを比較し、ステップＳ５０３で検出した撮像フレームレートに対しステップＳ５０７で検出した撮像フレームレートが変化しているか否かを判定する（Ｓ５０８）。
【０１５２】
制御部１０７は、ステップＳ５０８における判定に変化があった場合はステップＳ５０４へ移行し、再びカメラライト１１５が点灯した状態か否かを判定する(Ｓ５０４)。
【０１５３】
ステップＳ５０４のおけるカメラライトの判定結果が消灯した状態である場合は、ステップＳ５０７で今回検出した撮像フレームレートに対応するカメラライトがＯＦＦ状態時のバックライト輝度レベルの値を図１０のバックライト輝度値テーブルから選定し、ＬＣＤバックライト部１０５に設定する(Ｓ５０５)。ＬＣＤバックライト部１０５は、新たに設定されたバックライト輝度レベルに対応する駆動電流で発光する。
【０１５４】
ステップＳ５０４におけるカメラライトの判定結果が点灯した状態である場合は、ステップＳ５０７で今回検出したフレームレートに対応するカメラライトＯＮ状態時のバックライト輝度レベルの値を図１０に示すバックライト輝度値テーブルから選定し、ＬＣＤバックライト部１０５に設定する(Ｓ５０９)。ＬＣＤバックライト部１０５は、新たに設定されたバックライト輝度レベルに対応する駆動電流で発光する。その後ステップＳ５０６からステップＳ５０８の処理を実行する。
【０１５５】
ステップＳ５０８において、撮像フレームレートに変化がない場合は、ステップＳ５０６へ移行し、次の撮像フレームレートの変化を監視する。これにより、カメラが起動中の撮影環境（明るさ、カメラライトのオン、オフ）が変化した場合にもバックライトの輝度切り替えが可能となる。
【０１５６】
制御部１０７は、ステップＳ５０６において、ユーザが操作部１０６にてカメラ終了操作（カメラモードの停止操作）した場合や、カメラ起動中に何もユーザ操作がなく一定時間が経過しカメラモードの終了を検出したとき、カメラ部１０３からの画像データの表示データ形式への変換を終了し、ＬＣＤ表示部１０４にはデフォルト画面を表示させてファインダ表示を停止し（Ｓ５１０）、カメラ部１０３をＯＦＦ状態に設定し撮像を停止する（Ｓ５１１）。
【０１５７】
このように、撮像フレームレートに対応して異なる輝度でＬＣＤバックライトを制御するとき、ユーザが必要に応じて操作するカメラライト部１１５の動作状態（点灯、消灯）を考慮した輝度レベルを設定するので、撮像環境に適したＬＣＤバックライト制御が可能である。
【０１５８】
また、カメラライトの点灯時には、撮像環境が暗いことを考慮してＬＣＤバックライトを所定の輝度で照光するので、ユーザの操作性が向上する。
【０１５９】
次に図１１を参照して第４の実施の形態の構成について説明する。
図１１に示す携帯電話機１０は、バックライトの構成とメモリ１１２のバックライト輝度値テーブルが異なる以外は図８に示す第３の実施の形態と同様な構成である。
【０１６０】
第３の実施の形態（図８）では、バックライトがＬＣＤバックライト部１０５のみの構成であるのに対して、第４の実施の形態（図１１）は、ＬＣＤバックライト部１０５と操作部バックライト部１１４で構成する。
【０１６１】
制御部１０７は、ＬＣＤバックライト部１０５の輝度制御と操作部バックライト部１１４の発光のＯＮ／ＯＦＦ制御をカメラライト部１１５の状態（ＯＮ／ＯＦＦ）別に制御する。その他の構成は、第３の実施の形態と同じであるため構成の説明は省略する。
【０１６２】
メモリ１１２に予め定めておくバックライト輝度値テーブルは、図１３に示すように、複数の撮像フレームレートに対応してＬＣＤバックライトの輝度レベルと、操作部バックライトのＯＮ／ＯＦＦ（点灯／消灯）がカメラライトの状態（ＯＮ／ＯＦＦ）別に設定されている。操作部バックライトのＯＮ／ＯＦＦ設定は、操作部バックライトの輝度レベルであっても良い）。
【０１６３】
図１３によれば、カメラライトがＯＦＦのときは、撮像フレームレートが１５（フレーム／ｓｅｃ）以上の場合は、ＬＣＤバックライトの輝度レベルの値が４、操作部バックライトのＯＮ／ＯＦＦ情報がＯＦＦ、フレームレートが１０〜１４（フレーム／ｓｅｃ）の場合は輝度レベルの値が３、操作部バックライトのＯＮ／ＯＦＦ情報がＯＦＦ、フレームレートが５〜９（フレーム／ｓｅｃ）の場合は輝度レベルの値が２、操作部バックライトのＯＮ／ＯＦＦ情報がＯＮ、フレームレートが４（フレーム／ｓｅｃ）以下の場合は輝度レベルの値が１、操作部バックライトのＯＮ／ＯＦＦ情報がＯＮに設定されている。
【０１６４】
また、カメラライトがＯＮのときは、撮像フレームレートが１５（フレーム／ｓｅｃ）以上の場合は、ＬＣＤバックライトの輝度レベルの値が２、操作部バックライトのＯＮ／ＯＦＦ情報がＯＮ、フレームレートが１０〜１４（フレーム／ｓｅｃ）の場合は輝度レベルの値が２、操作部バックライトのＯＮ／ＯＦＦ情報がＯＮ、フレームレートが５〜９（フレーム／ｓｅｃ）の場合は輝度レベルの値が２、操作部バックライトのＯＮ／ＯＦＦ情報がＯＮ、フレームレートが４（フレーム／ｓｅｃ）以下の場合は輝度レベルの値が１、操作部バックライトのＯＮ／ＯＦＦ情報がＯＮに設定されている。
【０１６５】
ＬＣＤバックライトの輝度レベルは、カメラライト部１１５が消灯状態で、撮像環境が明るい場合（撮像フレームレートが高い場合）は輝度レベルの値を高く設定し、撮像環境が暗い場合（撮像フレームレートが低い場合）は明るい場合より輝度レベルの値を低く設定しておくが、カメラライト部１１５が点灯状態である場合には、撮像フレームレートが高い明るい状態であっても、カメラライトが消灯している場合に比べ輝度レベルを低く設定している。
【０１６６】
また、操作部バックライトのＯＮ／ＯＦＦ設定は、カメラライトがＯＦＦ状態で、撮像環境が明るい場合（撮像フレームレートが高い場合）は操作部への照光は不要であるためＯＦＦに設定し、撮像環境が暗い場合（撮像フレームレートが低い場合）はユーザの操作性を考慮してＯＮに設定しおく。なお、カメラライトがＯＮ状態の場合には、撮像環境が暗い場合を想定し撮像フレームレートの如何にかかわらず操作部バックライト部１１４を照光するようＯＮに設定しておく。
【０１６７】
第４の実施の形態における動作は、第３の実施の形態における動作同様に、制御部１０７は、撮像フレームレートを検出し、図１３に示すバックライト輝度値テーブルに基づき、検出した撮像フレームレートに応じた輝度レベルのＬＣＤバックライト部１０５に対する設定と合わせて、操作部バックライト部１１４に発光のＯＮ／ＯＦＦ設定を行う。
【０１６８】
カメラライト１１５がＯＦＦ状態のときは、撮像環境が暗い（撮像フレームレートが低い）場合のみ操作部バックライト１１４を発光させ、カメラライト１１５がＯＮ状態のときは、検出した撮像フレームレートに関係なく操作部バックライト部１１４を発光させる。
【０１６９】
操作部バックライトに対するこのような設定は、撮像環境が明るい場合には操作部への照光を必要としないが、暗い場合には操作部への照光によりユーザの操作性が向上する。
【０１７０】
また、撮像環境が暗くカメラライトの点灯が必要である場合は、周囲が暗いことを考慮すると操作部への照光がある方が操作性が向上する。
【０１７１】
次に図１２に図１１、図１３を併せて参照し、バックライト制御処理について説明する。
【０１７２】
ユーザが操作部１０６にてカメラ起動（カメラモード設定）操作した場合、制御部１０７は、カメラ部１０３を起動させて撮影状態とする（図１２のステップＳ６０１）。
【０１７３】
制御部１０７は、撮像フレームレート毎にカメラ部１０３から出力される１画像分の画像データを表示データ形式に変換し、表示データをＬＣＤ表示部１０４に設定し、デフォルト画面表示からカメラ部１０３で撮像した画像を表示するファインダ表示にする（Ｓ６０２）。
【０１７４】
制御部１０７は、カメラ部１０３の撮像フレームレートをタイマ１１３にてカウントし検出する（Ｓ６０３）。撮像フレームレートのカウントは、例えば制御部１０７における基準クロックを基にカメラ部１０３から出力される画像データの同期信号を計数することにより検出することができる。
【０１７５】
制御部１０７は、カメラライト部１１５が点灯中か否か判定する(Ｓ６０４)し、判定結果が消灯中のときは、ステップＳ６０３で検出した撮像フレームレートに対応するカメラライトＯＦＦ状態時のバックライト輝度レベルをバックライト輝度値テーブルから選定し、そのバックライト輝度レベルをＬＣＤバックライト部１０５に設定する（Ｓ６０５）。
【０１７６】
これにより、ＬＣＤバックライト部１０５は、設定されたカメラライト消灯時のバックライト輝度レベルに対応する駆動電流で発光する。
【０１７７】
制御部１０７はステップＳ６０５におけるＬＣＤバックライト１０５に対する輝度設定後、図１３に示すバックライト輝度値テーブルから、ステップＳ６０３で検出した撮像フレームレートに対応するカメラライト１１５がＯＦＦ時の操作部バックライトのＯＮ／ＯＦＦ設定を検索し（Ｓ６０６）、ＯＮ設定を検出したとき操作部バックライト部１１４にバックライトＯＮ（点灯）を設定し（Ｓ６０７）、ＯＦＦ設定を検出したとき操作部バックライト部１１４にバックライトＯＦＦ（消灯）を設定する（Ｓ６０８）。
【０１７８】
制御部１０７は、ステップＳ６０４におけるカメラライトの判定結果が点灯中であるときは、ステップＳ６０３で検出した撮像フレームレートに対応するカメラライトＯＮ状態時のバックライト輝度レベルをバックライト輝度値テーブルから選定し、そのバックライト輝度レベルをＬＣＤバックライト部１０５に設定する（Ｓ６１２）。
【０１７９】
これにより、ＬＣＤバックライト部１０５は、設定されたカメラライト点灯時のバックライト輝度レベルに対応する駆動電流で発光する。
【０１８０】
制御部１０７は、ステップＳ６１２におけるＬＣＤバックライト１０５に対する輝度設定後、図１３に示すバックライト輝度値テーブルから、ステップＳ６０３で検出した撮像フレームレートに対応するカメラライト１１５がＯＮ時の操作部バックライトのＯＮ／ＯＦＦ設定を検索し（Ｓ６１３）、ＯＮ設定を検出したとき操作部バックライト部１１４にバックライトＯＮ（点灯）を設定し（Ｓ６１４）、ＯＦＦ設定を検出したとき操作部バックライト部１１４にバックライトＯＦＦ（消灯）を設定する（Ｓ６１５）。
【０１８１】
制御部１０７は、ステップＳ６０７における操作部バックライト１１４に対するＯＮ（点灯）設定、ステップＳ６０８における操作部バックライト１１４に対するＯＦＦ（消灯）設定または、ステップＳ６１４における操作部バックライト１１４に対するＯＮ（点灯）設定、ステップＳ６１５における操作部バックライト１１４に対するＯＦＦ（消灯）設定後、カメラ部１０３の動作状態監視を継続し、カメラモードの終了か否かを検出する（Ｓ６０９）。
【０１８２】
ステップＳ６０９における検出結果がカメラモード継続中の場合は、タイマ１１３によるカウントを継続してカメラ部１０３の撮像フレームレートの検出を継続する（Ｓ６１０）。
【０１８３】
制御部１０７は、ステップＳ６１０で検出した撮像フレームレートと前回ステップＳ６０３で検出した撮像フレームレートとを比較し、ステップＳ６０３で検出した撮像フレームレートに対しステップＳ６１０で検出した撮像フレームレートが変化しているか否かを判定する（Ｓ６１１）。
【０１８４】
ステップＳ６１１において、撮像フレームレートに変化がない場合は、ステップＳ６０９へ移行し、撮像フレームレートに変化があった場合は、ステップＳ６０４へ移行し、再びカメラライト部１１５が点灯中か否かを判定する（Ｓ６０４）。
【０１８５】
ステップＳ６０４におけるカメラライトの判定結果が消灯中であるときは、ステップＳ６１０で新たに検出した撮像フレームレートに対応するカメラライトＯＦＦ時のＬＣＤバックライトの輝度レベルをバックライト輝度値テーブルから選定し、ＬＣＤバックライト部１０５に設定する（Ｓ６０５）。ＬＣＤバックライト部１０５は新たに設定されたバックライト輝度レベルに対応する駆動電流で発光する。制御部１０７は、以降、ステップＳ６０６〜ステップＳ６１１の処理を実行する。
【０１８６】
制御部１０７は、ステップＳ６０４におけるカメラライトの判定結果が点灯中である場合は、ステップＳ６１０で新たに検出した撮像フレームレートに対応するカメラライトＯＮ時のＬＣＤバックライトの輝度レベルをバックライト輝度テーブルから選定し、ＬＣＤバックライト部１１４に設定する（Ｓ６１２）。これによりＬＣＤバックライト部１１４は新たに設定されたバックライト輝度レベルに対応する駆動電流で発光する。以降ステップＳ６１３からステップＳ１１の処理を実行する。
【０１８７】
制御部１０７は、ステップＳ６１１におけるステップＳ６０３で検出した撮像フレームレートとステップＳ６１０で検出した撮像フレームレートの比較において、フレームレートの変化が検出できなかったとき、ステップＳ６０９へ移行し、ステップＳ６０９からステップＳ６１１の処理を実行する。
【０１８８】
制御部１０７は、ステップＳ６０９において、ユーザが操作部１０６にてカメラ終了操作（カメラモードの停止操作）した場合や、カメラ起動中に何もユーザ操作がなく一定時間が経過しカメラモードの終了を検出したとき、カメラ部１０３からの画像データの表示データ形式への変換を終了し、ＬＣＤ表示部１０４にはデフォルト画面を表示させてファインダ表示を停止し（Ｓ６１５）、カメラ部１０３をＯＦＦ状態に設定し撮像を停止する（Ｓ６１６）。
【０１８９】
ＬＣＤバックライト輝度レベルおよび操作部バックライトＯＮ／ＯＦＦ情報の選定は、メモリ１１２に予め設定されているバックライト輝度値テーブル(図１３)により、撮像フレームレートに対応するＬＣＤバックライト輝度レベルと操作部バックライトＯＮ／ＯＦＦ情報を選択することで行う。
【０１９０】
カメラライト１１５が消灯状態で、撮像環境が暗い場合には、ＬＣＤ表示部１０４への反射光がないので周囲の明るさによる影響を受けず、視認性を確保するに必要な輝度値は、太陽光下等の明るい場合に比べて低い値とすることができる。
【０１９１】
そのため、ＬＣＤバックライト部１０４は、設定されたバックライト輝度レベルに対応する駆動電流より発光し、輝度レベルの値が低ければ、発光輝度は低く、消費する電流も少ない。また、撮像環境が明るい場合には、不要な操作部バックライトの点灯を防止できるため、更に消費電流を抑制できる。
【０１９２】
また、操作部バックライト１１４は、カメラライト１１５が消灯時は撮像環境が暗い場合のみ発光するので、撮像環境が明るいときの操作部バックライト１１４による電力消費が軽減される。
【０１９３】
またカメラライトが点灯状態では、撮像環境が暗いことを想定して操作部バックライト１１５を撮像フレームレートにかかわらず発光するので、ユーザの操作性が向上する。
【０１９４】
このように、次の撮像フレームレートの変化を監視し、撮像フレームレートの変化を検出したとき新たに検出したフレームレートに対応するＬＣＤバックライト部の輝度レベルおよび操作部バックライト部１１４の点灯／消灯を制御するので、カメラが起動中の撮影環境（明るさ、カメラライトのオン、オフ）が変化した場合にもバックライトの輝度切り替えが可能となる。
【０１９５】
これにより、カメラ部の起動時で明るい場合には、不必要である操作部バックライトをＯＦＦすることが可能となるため、第３の実施の形態と比較し更なる消費電流低減の効果が発生する。
【０１９６】
撮像フレームレートの変化を監視することにより、カメラが起動中の撮影環境（明るさ、カメラライトのオン、オフ）が変化した場合にもバックライトの輝度切り替えが可能となる。
【図面の簡単な説明】
【０１９７】
【図１】本発明の第１の実施の形態のカメラ付き携帯電話機の主要構成を示す図である。
【図２】本発明の本発明の撮像フレームレートの一例を示す図である。
【図３】本発明の第１の実施の形態のバックライト制御処理を説明するフローチャートである。
【図４】本発明の第１の実施の形態のバックライト輝度値テーブルの一例を示す図である。
【図５】本発明の第２の実施の形態のカメラ付き携帯電話機の主要構成を示す図である。
【図６】本発明の第２の実施の形態のバックライト輝度値テーブルの一例を示す図である。
【図７】本発明の第２の実施の形態のバックライト制御処理を説明するフローチャートである。
【図８】本発明の第３の実施の形態のカメラ付き携帯電話機の主要構成を示す図である。
【図９】本発明の第３の実施の形態のバックライト制御処理を説明するフローチャートである。
【図１０】本発明の第３の実施の形態のバックライト輝度値テーブルの一例を示す図である。
【図１１】本発明の第４の実施の形態のカメラ付き携帯電話機の主要構成を示す図である。
【図１２】本発明の第４の実施の形態のバックライト制御処理を説明するフローチャートである。
【図１３】本発明の第４の実施の形態のバックライト輝度値テーブルの一例を示す図である。
【図１４】本発明のカメラライト部の点灯動作を示す図である。
【符号の説明】
【０１９８】
１０    携帯電話機
１０１    アンテナ
１０２    無線部
１０３    カメラ部
１０４    ＬＣＤ表示部
１０５    ＬＣＤバックライト部
１０６    操作部
１０７    制御部
１０８    音声処理部
１０９    レシーバ
１１０    マイク
１１１    ＣＰＵ
１１２    メモリ
１１３    タイマ
１１４    操作部バックライト部
１１５    カメラライト部
【図１】
2005039763.tif 000003
【図２】
2005039763.tif 000004
【図３】
2005039763.tif 000005
【図４】
2005039763.tif 000006
【図５】
2005039763.tif 000007
【図６】
2005039763.tif 000008
【図７】
2005039763.tif 000009
【図８】
2005039763.tif 000010
【図９】
2005039763.tif 000011
【図１０】
2005039763.tif 000012
【図１１】
2005039763.tif 000013
【図１２】
2005039763.tif 000014
【図１３】
2005039763.tif 000015
【図１４】
2005039763.tif 000016